(57)【要約】  外科用アクセス装置は、カニューレと、カニューレの近位端に連結されたハウジングアセンブリと、を含む。カニューレ管腔及びハウジング内部によって画定される作業チャネルは、中心軸に沿って外科用アクセス装置の近位端と遠位端との間に延びる。作業チャネルは、外科用器具を受容するように構成され、送気ポートは、送気流体を作業チャネル内に導くように構成されている。第１及び第２の針ポートは、外科用アクセス装置のそれぞれの第１及び第２の側部を通って作業チャネルに開口している。第１の針ポートは、送気ポートと直径方向に対向する。第１及び第２の針ポートはそれぞれ、中心軸に対して斜めの角度で、作業チャネルにわたって、外科用アクセス装置内で縫合糸通し針を導くように構成されている。
2020525137.tif 000002
【特許請求の範囲】
【請求項１】
外科用アクセス装置であって、
（ａ）近位端と、遠位端と、前記近位端と前記遠位端との間を延びるカニューレ管腔と、を有するカニューレと、
（ｂ）前記カニューレの前記近位端に連結されたハウジングアセンブリであって、前記カニューレ管腔と連通するハウジング内部を画定する、ハウジングアセンブリと、
（ｃ）前記外科用アクセス装置の中心軸に沿って前記外科用アクセス装置の近位端から遠位端まで延びる作業チャネルであって、前記カニューレ管腔及び前記ハウジング内部によって画定され、内部を通じて外科用器具を受容するように構成されている、作業チャネルと、
（ｄ）前記作業チャネル内に送気流体を導くように構成された送気ポートと、
（ｅ）前記外科用アクセス装置の第１の側部を通って前記作業チャネルに開口する第１の針ポートであって、前記送気ポートと直径方向に対向する、第１の針ポートと、
（ｆ）前記外科用アクセス装置の第２の側部を通って前記作業チャネルに開口する第２の針ポートと、
を備え、
前記第１及び第２の針ポートのそれぞれが、前記中心軸に対して斜めの角度で、前記作業チャネルにわたって、前記外科用アクセス装置内で縫合糸通し針を導くように構成されている、外科用アクセス装置。
【請求項２】
前記第２の針ポートが、前記送気ポートから周方向にオフセットされている、請求項１に記載の外科用アクセス装置。
【請求項３】
前記第２の針ポートが、前記送気ポートから少なくとも１７度、周方向にオフセットされている、請求項２に記載の外科用アクセス装置。
【請求項４】
前記ハウジングアセンブリが、近位ハウジングと、前記近位ハウジングを前記カニューレと解放可能に連結するように構成されたラッチリングと、を含み、前記ラッチリングが、前記近位ハウジングを前記カニューレから解放するように作動可能であるユーザ係合機構を含み、前記ユーザ係合機構が、前記ユーザ係合機構の許容可能な動作の全範囲にわたって、前記送気ポートから周方向にオフセットされている、請求項１に記載の外科用アクセス装置。
【請求項５】
前記ラッチリングは、前記ユーザ係合機構が前記送気ポートから少なくとも９０度、周方向にオフセットされる位置まで移動可能である、請求項４に記載の外科用アクセス装置。
【請求項６】
前記ユーザ係合機構が、外側に突出するノブを含む、請求項４に記載の外科用アクセス装置。
【請求項７】
前記ラッチリングが、前記近位ハウジングに対して前記中心軸を中心に回転可能である、請求項４に記載の外科用アクセス装置。
【請求項８】
前記カニューレが、前記ハウジングアセンブリと連結するように構成された近位ハブを含み、前記第１及び第２の針ポートが前記近位ハブを通って延びる、請求項１に記載の外科用アクセス装置。
【請求項９】
前記第１の針ポートが第１の針入口ポートを備え、前記第２の針ポートが第２の針入口ポートを備え、前記外科用アクセス装置が、前記第１の針入口ポートの遠位に配置された第１の針出口ポートと、前記第２の針入口ポートの遠位に配置された第２の針出口ポートと、を更に備え、前記第１の針入口ポート及び前記第１の針出口ポートが共に、前記外科用アクセス装置の前記中心軸を横切って斜めに延びる第１の縫合糸経路を画定し、前記第２の針入口ポート及び前記第２の針出口ポートが共に、前記外科用アクセス装置の前記中心軸を横切って斜めに延びる第２の縫合糸経路を画定する、請求項１に記載の外科用アクセス装置。
【請求項１０】
前記カニューレが、近位ハブと、前記近位ハブから遠位に延びる円筒部と、を含み、前記第１及び第２の針出口ポートが、前記円筒部を通って前記作業チャネルに開口している、請求項９に記載の外科用アクセス装置。
【請求項１１】
前記第１及び第２の針入口ポート、及び、前記第１及び第２の針出口ポートは、前記第１及び第２の縫合糸経路が前記外科用アクセス装置の前記中心軸を通って延びるように配置されている、請求項９に記載の外科用アクセス装置。
【請求項１２】
前記第１の針入口ポートを通して前記第１の縫合糸経路に沿って縫合糸通し針をガイドするように構成された第１の針ガイド構造と、前記第２の針入口ポートを通して前記第２の縫合糸経路に沿って縫合糸通し針をガイドするように構成された第２の針ガイド構造と、を更に備える、請求項９に記載の外科用アクセス装置。
【請求項１３】
前記第１及び第２の針ガイド構造が、第１及び第２の針ガイド管を備える、請求項１２に記載の外科用アクセス装置。
【請求項１４】
前記第１の針出口ポートが、前記第１の針入口ポートと直径方向に対向し、前記第２の針出口ポートが、前記第２の針入口ポートと直径方向に対向する、請求項９に記載の外科用アクセス装置。
【請求項１５】
前記第１の針入口ポート、前記第１の針出口ポート、及び前記送気ポートが、前記中心軸に沿って前記外科用アクセス装置を通って軸方向に延びる平面に位置する、請求項９に記載の外科用アクセス装置。
【請求項１６】
外科用アクセス装置であって、
（ａ）近位ハブと、遠位先端と、前記近位ハブと前記遠位先端との間を延びるカニューレ管腔と、を有するカニューレと、
（ｂ）前記カニューレの前記近位ハブに連結されたハウジングアセンブリであって、前記カニューレ管腔と連通するハウジング内部を画定する、ハウジングアセンブリと、
（ｃ）前記外科用アクセス装置の中心軸に沿って前記外科用アクセス装置の近位端から遠位端まで延びる作業チャネルであって、前記カニューレ管腔及び前記ハウジング内部によって画定され、内部を通じて外科用器具を受容するように構成されている、作業チャネルと、
（ｄ）前記作業チャネル内に送気流体を導くように構成された送気ポートと、
（ｅ）前記カニューレの前記近位ハブを通って前記作業チャネルに開口する針ポートであって、前記送気ポートと直径方向に対向し、前記中心軸に対して斜めの角度で、前記作業チャネルにわたって、前記外科用アクセス装置内で縫合糸通し針を導くように構成されている、針ポートと、
を備える、外科用アクセス装置。
【請求項１７】
前記カニューレの前記近位ハブを通って前記作業チャネルに開口する第２の針ポートを更に備え、前記第２の針ポートが、前記送気ポートから周方向にオフセットされている、請求項１６に記載の外科用アクセス装置。
【請求項１８】
外科用アクセス装置であって、
（ａ）近位端と、遠位端と、前記近位端と前記遠位端との間を延びるカニューレ管腔と、を有するカニューレと、
（ｂ）前記カニューレの前記近位端に連結されたハウジングアセンブリであって、前記カニューレ管腔と連通するハウジング内部を画定する、ハウジングアセンブリと、
（ｃ）前記外科用アクセス装置の中心軸に沿って前記外科用アクセス装置の近位端から遠位端まで延びる作業チャネルであって、前記カニューレ管腔及び前記ハウジング内部によって画定され、内部を通じて外科用器具を受容するように構成されている、作業チャネルと、
（ｄ）前記作業チャネル内に送気流体を導くように構成された送気ポートと、
（ｅ）前記外科用アクセス装置の側部を通って前記作業チャネルに開口する第１の針入口ポートと、
（ｆ）前記外科用アクセス装置の側部を通って前記作業チャネルに開口する第１の針出口ポートであって、前記第１の針入口ポートと連通して、前記中心軸に対して斜めの角度で、前記作業チャネルにわたって、前記外科用アクセス装置内で縫合糸通し針を導くように構成されている第１の針チャネルを画定する、第１の針出口ポートと、
（ｇ）前記外科用アクセス装置の側部を通って前記作業チャネルに開口する第２の針ポートと、
（ｈ）前記外科用アクセス装置の側部を通って前記作業チャネルに開口する第２の針出口ポートであって、前記第２の針入口ポートと連通して、前記中心軸に対して斜めの角度で、前記作業チャネルにわたって、前記外科用アクセス装置内で縫合糸通し針を導くように構成されている第２の針チャネルを画定する、第２の針出口ポートと、
を備え、
前記第１又は第２の針入口ポートのうちの少なくとも一方、及び対応する前記針出口ポートは、前記中心軸に沿って前記外科用アクセス装置を通って軸方向に延びる軸方向面内に位置し、前記軸方向面が、前記送気ポートからオフセットされている、外科用アクセス装置。
【請求項１９】
前記第１の針入口ポート、前記第１の針出口ポート、及び前記送気ポートが、前記中心軸に沿って前記外科用アクセス装置を通って軸方向に延びる第１の軸方向面内に位置し、前記第２の針入口ポート及び前記第２の針出口ポートが、前記中心軸に沿って前記外科用アクセス装置を通って軸方向に延びる第２の軸方向面内に位置し、前記第２の軸方向面が、前記第１の軸方向面からオフセットされている、請求項１８に記載の外科用アクセス装置。
【請求項２０】
前記第１の針入口ポート及び前記第２の針入口ポートのそれぞれが、前記送気ポートから周方向にオフセットされている、請求項１８に記載の外科用アクセス装置。
【発明の詳細な説明】
【背景技術】
【０００１】
外科的処置は、臨床医が患者の体内の体腔又は他の望ましい手術部位にアクセスすることを必要とすることがある。そのような外科的処置を実施するために、患者の組織を介して体腔に切開を行うことができる。いくつかの従来の外科的処置は、メスなどのナイフを切開組織に適用することができる一方で、腹腔鏡及び内視鏡外科的処置などの侵襲性の低いいくつかの外科的処置は、トロカールアセンブリを介して体腔にアクセスすることができる。従来のトロカールアセンブリは、一般に、トロカールカニューレ内に受け入れられるトロカール閉塞具を含む。使用中、臨床医は、所望の手術部位の体腔にアクセスするために、組織を介してトロカール閉塞具及びカニューレを導く。アクセスされると、臨床医は、トロカールカニューレを使用して治療のために体腔に外科用器具を導入することができるように、トロカールカニューレからトロカール閉塞具を引き抜く。
【０００２】
トロカールアセンブリ、その構成要素、及び他の様々な外科用アクセス装置及び創傷閉鎖デバイスの例は、２０１１年７月１９日発行の、「Ｖｉｂｒａｔｏｒｙ  Ｔｒｏｃａｒ」と題された米国特許第７，９８１，０９２号；２０１２年７月２４日発行の、「Ａｃｃｅｓｓ  Ｄｅｖｉｃｅ  ｗｉｔｈ  Ｉｎｓｅｒｔ」と題された米国特許第８，２２６，５５３号；２０１２年８月２８日発行の、「Ｓｕｒｇｉｃａｌ  Ａｃｃｅｓｓ  Ｄｅｖｉｃｅｓ  ａｎｄ  Ｍｅｔｈｏｄｓ  Ｐｒｏｖｉｄｉｎｇ  Ｓｅａｌ  Ｍｏｖｅｍｅｎｔ  ｉｎ  Ｐｒｅｄｅｆｉｎｅｄ  Ｐａｔｈｓ」と題された米国特許第８，２５１，９００号；２０１３年１１月１２日発行の、「Ａｂｓｏｒｂｉｎｇ  Ｆｌｕｉｄｓ  ｉｎ  ａ  Ｓｕｒｇｉｃａｌ  Ａｃｃｅｓｓ  Ｄｅｖｉｃｅ」と題された米国特許第８，５７９，８０７号；２０１３年１０月２９日発行の、「Ｓｕｒｇｉｃａｌ  Ａｃｃｅｓｓ  Ｄｅｖｉｃｅ  ｗｉｔｈ  Ｓｏｒｂｅｎｔｓ」と題された米国特許第８，５６８，３６２号；２０１４年１月２８日発行の、「Ｓｕｒｇｉｃａｌ  Ａｃｃｅｓｓ  Ｄｅｖｉｃｅ」と題された米国特許第８，６３６，６８６号；２０１４年４月８日発行の、「Ｇａｓ  Ｊｅｔ  Ｆｌｕｉｄ  Ｒｅｍｏｖａｌ  ｉｎ  ａ  Ｔｒｏｃａｒ」と題された米国特許第８，６９０，８３１号；２００８年８月２１日公開の、「Ｓｕｒｇｉｃａｌ  Ｈｏｏｋ」と題された米国特許出願公開第２００８／０２００９５０号；２０１５年２月５日公開の、「Ｄｅｖｉｃｅｓ，Ｓｙｓｔｅｍｓ，ａｎｄ  Ｍｅｔｈｏｄｓ  ｆｏｒ  Ｐｒｏｖｉｄｉｎｇ  Ｓｕｒｇｉｃａｌ  Ａｃｃｅｓｓ  ａｎｄ  Ｆａｃｉｌｉｔａｔｉｎｇ  Ｃｌｏｓｕｒｅ  ｏｆ  Ｓｕｒｇｉｃａｌ  Ａｃｃｅｓｓ  Ｏｐｅｎｉｎｇｓ」と題された米国特許出願公開第２０１５／００３８７９３号；２０１５年２月５日公開の、「Ｄｅｖｉｃｅｓ，Ｓｙｓｔｅｍｓ，ａｎｄ  Ｍｅｔｈｏｄｓ  ｆｏｒ  Ｐｒｏｖｉｄｉｎｇ  Ｓｕｒｇｉｃａｌ  Ａｃｃｅｓｓ  ａｎｄ  Ｆａｃｉｌｉｔａｔｉｎｇ  Ｃｌｏｓｕｒｅ  ｏｆ  Ｓｕｒｇｉｃａｌ  Ａｃｃｅｓｓ  Ｏｐｅｎｉｎｇｓ」と題された米国特許出願公開第２０１５／００３８９９４号；及び、２０１５年４月２日公開の、「Ｗｏｕｎｄ  Ｃｌｏｓｕｒｅ  Ｄｅｖｉｃｅ  ｉｎｃｌｕｄｉｎｇ  Ｍｅｓｈ  Ｂａｒｒｉｅｒ」と題された米国特許出願公開第２０１５／００９４７４１号に提供されている。上に引用した米国特許及び出願公開の各々の開示内容は、参照により本明細書に組み込まれている。
【０００３】
そのような外科用アクセス装置と共に使用する外科用器具は、診断又は治療効果を達成するために、アクセスデバイスを介して組織に係合するための遠位端部エンドエフェクタ（例えば、エンドカッター、把持具、カッター、ステープラー、クリップアプライヤー、アクセスデバイス、薬物／遺伝子療法送達デバイス、及び超音波振動、ＲＦ、レーザーなどを使用したエネルギー送達デバイス）を有することができる。腹腔鏡及び内視鏡外科用器具は、エンドエフェクタとハンドル部分との間に、臨床医によって操作されるシャフトを含み得る。このようなシャフトは、所望の深さへの挿入及びシャフトの長手方向軸を中心とした回転を可能にし、それにより患者の体腔内でエンドエフェクタの位置付けを行うことを容易にする。エンドエフェクタの位置付けは、エンドエフェクタをシャフトの長手方向軸に対して選択的に関節動作させるか又は別様に偏向させることを可能にする、１つ以上の関節ジョイント又は機構を含めることによって更に容易にすることができる。
【０００４】
手術用アクセス装置及びエンドエフェクタを含む様々な種類の外科用器具、及び他の関連するコンポーネントが作製及び使用されているが、本発明者よりも前の誰も添付の特許請求の範囲に記載された発明を作製又は使用していないと考えられる。
【図面の簡単な説明】
【０００５】
本明細書に組み込まれていると共にその一部をなす添付の図面は、本発明の実施形態を示すものであり、上記の本発明の一般的説明、及び以下の実施形態の詳細な説明と共に、本発明の原理を説明する役割を果たすものである。
【図１】例示的なトロカールアセンブリの斜視図を示している。
【図２】トロカールハウジング、トロカールカニューレ、及び閉塞具を有する図１のトロカールアセンブリの部分分解側面図を示している。
【図３Ａ】組織を介して臨床医によって操作される図１のトロカールアセンブリを有する患者の組織の側断面図を示している。
【図３Ｂ】図１のトロカールアセンブリが組織を介して挿入され且つ患者の体腔内に収容された、図３Ａの組織及びトロカールアセンブリの側断面図を示している。
【図３Ｃ】トロカールカニューレ及びトロカールハウジングを通る作業チャネルを介して体腔にアクセスするために閉塞具がトロカールカニューレから引き抜かれた、図３Ａの組織及びトロカールアセンブリの側断面図を示している。
【図３Ｄ】トロカールハウジング及びトロカールカニューレが患者の体腔及び組織から取り除かれた、図３Ｃの組織及びトロカールアセンブリの側断面図を示している。
【図４Ａ】組織を貫通する開口と、開口を縫合して閉鎖するために組織の一部に導入された縫合糸とを有する、図１のトロカールアセンブリの取り外し後の図３Ａ〜図３Ｄに示される組織の他の側断面図を示している。
【図４Ｂ】組織の他の部分を介して縫合糸が導入され且つ組織を介して引っ張られた、図４Ａの組織の側断面図を示している。
【図４Ｃ】開口を少なくとも部分的に閉鎖するために縫合糸が締められて結ばれた、図４Ａの組織の側断面図を示している。
【図４Ｄ】開口を更に閉鎖するための追加縫合を有する、図４Ａの組織の側断面図を示している。
【図５】ハウジングアセンブリ、カニューレ、及び針ポートを有する例示的なトロカールの斜視図である。
【図６】図５のトロカールの分解斜視図である。
【図７】トロカールの中心軸に対して斜めに配向された例示的な第１の縫合糸経路に沿ってトロカールを通って延在する例示的な縫合針通し器を示す、図５のトロカールの側断面図である。
【図８】ハウジングアセンブリの近位ハウジングが省略された、図５のトロカールの上面図である。
【図９】別の例示的なトロカールの上面図である。
【図１０】回転カラーを有する別の例示的なトロカールの斜視図である。
【図１１】図１０のトロカールの回転カラー及び遠位ハウジングの分解斜視図である。
【０００６】
図面は、いかなる方式でも限定することを意図しておらず、本発明の様々な実施形態は、図面に必ずしも描写されていないものを含め、他の様々な方式で実施し得ることが企図される。本明細書に組み込まれ、その一部をなす添付図面は、本発明のいくつかの態様を図示したものであり、本説明文と共に本発明の原理を説明する役割を果たすものである。しかしながら、本発明が、示される正確な配置に限定されない点は理解される。
【発明を実施するための形態】
【０００７】
本発明の特定の実施例の以下の説明文は、本発明の範囲を限定する目的で用いられるべきではない。本発明の他の実施例、特徴、態様、実施形態、及び利点は、本発明を実施するために想到される最良の形態の１つを実例として示す以下の説明文より、当業者には明らかとなろう。理解されるように、本発明は、いずれも本発明から逸脱することなく、他の異なるかつ明白な態様が可能である。したがって、図面及び説明は、限定的な性質のものではなく、例示的な性質のものと見なされるべきである。
【０００８】
Ｉ．例示的な手術用アクセス装置
図１〜図２は、トロカールカニューレ（１２）及びトロカール閉塞具（１４）を含む第１の例示的なトロカールアセンブリ（１０）の形態の例示的な外科用アクセス装置を示している。トロカール閉塞具（１４）は、トロカールカニューレ（１２）のトロカールハウジング（１６）を介してトロカールカニューレ（１２）内に取り外し可能に受け入れられる。トロカールカニューレ（１２）内にトロカール閉塞具（１４）が配置された図１に示すように、臨床医は、患者内の体腔（１８）（図３Ａを参照）にアクセスするために望ましい手術部位において患者の組織（１７）（図３Ａを参照）を介してトロカールアセンブリ（１２）を挿入する。単なる例として、患者の腹部内に、患者の２本の肋骨の間に、又は他の部位に、トロカールアセンブリ（１０）を挿入してもよい。トロカール閉塞具（１４）の先端（２０）は、トロカールカニューレ（１２）の遠位端部を体腔（１８）に導入するために（図３Ｂを参照）、トロカールカニューレ（１２）から遠位側に突出して組織（１７）を穿刺する（図３Ａを参照）。臨床医は、患者内の体腔（１８）（図３Ｃを参照）がトロカールカニューレ（１２）を介して手術環境と連通するように、トロカールカニューレ（１２）からトロカール閉塞具（１４）を近位に引き抜く。そして、臨床医は、診断又は治療効果を達成するために、体腔（１８）（図３Ａを参照）を膨張させるためのトロカールカニューレ（１２）及び／又は組織（１７）と係合するためのトロカールカニューレ（１２）を介した外科用器具のエンドエフェクタを介して、ガスなどの流体を導入することができる。
【０００９】
本明細書では、「近位」及び「遠位」などの用語は、トロカールハウジング（１６）を握っている臨床医を基準として使用されていることを理解されたい。したがって、先端（２０）は、より近位のトロカールハウジング（１６）に対して遠位にある。便宜上、また説明を明確にするため、本明細書では「垂直」及び「水平」といった空間的用語が、図面に対して使用されている点も更に理解されるであろう。しかしながら、外科用器具は、多くの向き及び位置で使用されるものであり、これらの用語は、限定的且つ絶対的なものであることを意図するものではない。更に、一部の場合では、構成要素は、用語「アセンブリ」を含んで、及び含まずに、互換的に引用される（例えば、トロカール及びトロカールアセンブリ）。異なる構成要素を参照する用語に特別な意図はない。同様に、用語「器具」及び「装置」などの用語は互換的に使用することができる。
【００１０】
Ａ．カニューレ及び閉塞具を有する例示的なトロカールアセンブリ
図１〜図２のトロカールアセンブリ（１０）は、トロカールハウジング（１６）から遠位に延びるカニューレ（１２）を含む。本実施例では、トロカールハウジング（１６）は、遠位のハウジングチャンバ（図示せず）の上に近位の取り外し可能なキャップ（２２）を有するほぼ円筒形の形状を有する。キャップ（２２）は、ハウジングチャンバ（図示せず）から選択的に着脱可能である。トロカールハウジング（１６）は、トロカールアセンブリ（１０）を通って、したがってトロカールカニューレ（１２）に沿って中心長手方向軸（２６）の周りに周方向に延びるハウジング側壁（２４）を含む。トロカールハウジング（１６）は、更に、近位ハウジング端部開口（２８）から遠位ハウジング端部開口（図示せず）まで延びる中央管腔（２７）を含む。示されるように、キャップ（２２）は、遠位嵌合部材（図示せず）を介してハウジング側壁（２４）と選択的に嵌合し、更に、それぞれ閉塞具（１４）の一部から遠位に延びる一対のタブ（３２）に取り外し可能に接続するように構成されたスロット（図示せず）などの近位嵌合部材を含む。しかしながら、代替構造体及びデバイスもまた、使用中にキャップ（２２）に取り外し可能に接続されることができることは理解されるであろう。
【００１１】
カニューレ（１２）は、トロカールハウジング（１６）から遠位に延び、また、中心長手方向軸（２６）の周りに周方向に延びるカニューレ側壁（３３）によって一般に画定される。カニューレ側壁（３３）は、体腔（１８）にアクセスするために（図３Ａを参照）より詳細に後述するように、カニューレ側壁（３３）及び傾斜端部（３４）が組織（１７）を介して挿入されるように構成されるように（図３Ａを参照）傾斜端部（３４）まで遠位に延びている。この目的のために、カニューレ（１２）は、一般に、組織（１７）の外部に留まるように構成されたトロカールハウジング（１６）よりも小さい直径を有する（図３Ｃを参照）。更に、カニューレ（１２）は、近位カニューレ端部開口（図示せず）と、傾斜端部（３４）を通って延びる遠位カニューレ端部開口（３６）とを備えた内部管腔（３５）を画定する。本実施例では、トロカールハウジング（１６）の遠位ハウジング端部開口（図示せず）は、トロカールハウジング（１６）の中央管腔（２７）及びカニューレ（１２）の内部管腔（３５）が作業チャネル（３８）を画定するように近位カニューレ端部開口（図示せず）に流体的に接続する。したがって、作業チャネル（３８）は、近位ハウジング端部開口（２８）から遠位カニューレ端部開口（３６）まで延在し、体腔（１８）にアクセスするために１つ以上の外科用器具を受け入れるように構成される。
【００１２】
更にまた、カニューレ（１２）の一部を通って体腔（１８）に入る二酸化炭素などの送気流体の流れを制御するために、送気ポート（４０）がトロカールハウジング（１６）に動作可能に接続されている。より具体的には、送気ポート（４０）は、トロカールハウジング（１６）を介して、管（図示せず）、及びトロカールカニューレ（１２）への送気流体の通過を許可及び／又は防止するために共に機能することができるストップコックバルブ（４２）及びコックバルブレバー（４４）を含む。トロカールハウジング（１６）及びカニューレ（１２）は、それぞれ、作業チャネル（３８）の中央管腔（２７）及び内部管腔（３５）内に配置された近位及び遠位シールアセンブリ（図示せず）を有する。本実施例では、近位シールアセンブリは、器具シール（図示せず）であるのに対して、遠位シールアセンブリ（図示せず）は、ダックビルシール（図示せず）などのゼロ閉鎖シールである。器具シール（図示せず）は、キャップ（２２）内に保持され、作業チャネル（３８）を介して延びる外科用器具に対して流体的にシールするように構成されている。対照的に、ダックビルシール（図示せず）は、それを介して器具が配置されていないときに作業チャネル（３８）にシールを形成し、それにより使用中の送気流体の漏れを防ぐように構成されている。当然のことながら、送気流体のそのような漏れを防止するために、代替のシールアセンブリが作業チャネル（３８）内に配置されることができることが理解されるであろう。
【００１３】
ダックビルシールは、更に、器具シールによって設けられる対応する開口よりも大きい開口を、作業チャネル（３８）に開口を設けるように操作されるように構成されている。ダックビルシールによって設けられるこのより大きな開口は、外科的処置中にトロカールハウジング（１６）を介した身体組織の抽出を促進することができる。特に、キャップ（２２）を取り外し、近位器具シールと共にダックビルシールを露出させ、それにより、外科医が器具シールの開口を介して近位に抽出するには大きすぎるであろう、ダックビルシールの開口を介して身体組織を近位に抽出することができる。
【００１４】
上記で簡単に説明したように、閉塞具（１４）は、トロカールアセンブリ（１０）を患者に挿入するためにカニューレ（１２）と共に使用される。本実施例の閉塞具（１４）は、より詳細に後述するように一般に組織（１７）を穿刺するように構成された（図３Ａを参照）、そこから先端（２０）まで遠位に延びる円筒状シャフト（４８）を有するハンドルヘッド（４６）を含む。ハンドルヘッド（４６）は、使用中に臨床医によって把持されるように構成され、選択的に固定するためにトロカールハウジング（１６）に取り外し可能に接続するために遠位に延びる選択的に移動可能なタブ（３２）を含む。シャフト（４８）は、先端（２０）が傾斜端部（３４）から遠位に延びるように、作業チャネル（３８）を介して受け入れられる。当然のことながら、閉塞具（１４）は、カニューレ（１２）及びトロカールハウジング（１６）から選択的に取り外されて、使用のために作業チャネル（３８）を解放することができる。トロカールアセンブリ（１０）の本実施例は、閉塞具（１４）を有するが、カニューレ（１２）は、閉塞具（１４）なしでいくつかの例で挿入されることができ、又は代替的に閉塞具（１４）を使用することなく挿入を支援するように構成されることができることが理解されるであろう。
【００１５】
Ｂ．患者内の体腔にアクセスする例示的な方法
図３Ａ〜図３Ｄは、上述したトロカールアセンブリ（１０）によって組織（１７）を介して体腔（１８）にアクセスすることを示している。本実施例の組織（１７）は、より具体的には、比較的外側の表層及び比較的内側の深層を有する。表層は、一般に、皮膚の外層（５２）と脂肪の内層（５４）とを含む。一方、深層は、表層よりも比較的高い引張強度を有して繊維状で且つ柔軟である筋膜の層（５６）を含む。図３Ａに示すように、カニューレ（１２）内に収容され且つトロカールハウジング（１６）に接続された閉塞具（１４）により、臨床医は、トロカールアセンブリ（１０）を操作してトロカールアセンブリ（１０）を前後に回転させながら閉塞具（１４）の先端（２０）を皮膚（５２）に対して且つ体腔（１８）に向かって内側に付勢する。矢印（４９）及び矢印（５０）は、それぞれ、この内側への回転可能な動きを示している。トロカールアセンブリ（１０）の内向きの付勢を続けると、図３Ｂに示すように、カニューレ（１２）の先端（２０）及び傾斜端部（３４）を脂肪（５４）及び筋膜（５６）の層を介して体腔（１８）に更に導く。そして、臨床医は、閉塞具（１４）をトロカールハウジング（１６）から切断し、閉塞具（１４）をカニューレ（１２）から引き抜き、他の外科用器具（図示せず）によって診断又は治療効果を達成するために、図３Ｃに示すように、組織（１７）の外部から作業チャネル（３８）を介して体腔（１８）へのアクセスを確立する。診断又は治療効果が完了すると、臨床医は、図３Ｄに示すように、組織（１７）から取り外すためにカニューレ（１２）及びトロカールハウジング（１６）を外側に引き抜く。
【００１６】
図４Ａに示すように、組織（１７）からカニューレ（１２）を取り外すと、一般に、臨床医が組織（１７）の治癒を促進するために閉鎖する組織ポート又は組織創傷とも呼ばれることがある組織開口（５８）をもたらす。一部の組織開口は、組織（１７）が一体になると十分に閉鎖することができるが、組織開口（５８）などの他の開口は、縫合糸（６０）によって縫合されて閉鎖される。図４Ａ〜図４Ｄに示される一例では、臨床医が針（６２）を操作する際に組織（１７）を介して縫合糸（６２）を案内するために、縫合糸（６０）は、針（６２）に取り外し可能に連結される。より具体的には、図４Ｂに示すように、臨床医は、針（６２）が組織（１７）を取り除くときに、組織開口（５８）の片側の筋膜（５６）を介して下向きに、次に組織開口（５８）の反対側の筋膜（５６）を介して上向きに針（６２）を導く。特に、臨床医は、組織開口（５８）に比較的近接するために、組織開口（５８）から遠位に所望の距離、並びに縫合糸（６０）を固定するための十分な筋膜（５６）を提供するのに十分な距離において筋膜（５６）に針（６２）を通す。更に、臨床医は、縫合糸（６０）を筋膜（５６）内に固定する際に十分な「噛み込み」を達成するために、針（６２）の先端を適切な角度で開口（５８）の中心軸から斜めに傾ける。図４Ｃに示すように、組織開口（５８）のそれぞれの側からの縫合糸（６０）がまとめられて引っ張られ、組織（１７）を一体に同様に引っ張り、組織開口（５８）を少なくとも部分的に閉鎖する。そして、臨床医は、図４Ｄに示すように、縫合糸（６０）を結び付けて組織（１７）を一体に固定し、形成された縫合糸（６４）によって組織開口（５８）を十分に閉鎖する。追加の縫合糸（６４）を組織（１７）に沿って配置して、組織開口（５８）を更に閉鎖し、組織（１７）の治癒を促進してもよい。
【００１７】
図４Ａ〜図４Ｄに示される上述した縫合技術は、トロカールアセンブリ（１０）（図１を参照）の使用後に縫合糸（６０）によって組織開口（５８）を閉鎖するための１つの例示的な手順であるが、他の例示的な手順及びデバイスは、そのような組織開口を閉鎖するために代替的に使用されてもよい。例として、参照によりその全体が本明細書に組み込まれる、２０１６年４月１日出願の、「Ｓｕｒｇｉｃａｌ  Ａｃｃｅｓｓ  Ｄｅｖｉｃｅｓ  ｗｉｔｈ  Ｉｎｔｅｇｒａｔｅｄ  Ｗｏｕｎｄ  Ｃｌｏｓｕｒｅ  Ｆｅａｔｕｒｅｓ」と題された米国特許出願第１５／０８８，７２３号は、代替のトロカールアセンブリ及び縫合技術を記載している。この目的のために、臨床医が望むように、代替のトロカールアセンブリ及び縫合技術を任意の組み合わせで使用してもよい。
【００１８】
ＩＩ．創傷閉鎖機構を有する例示的な外科用アクセス装置
Ａ．第１の構成における針ポート及び送気ポートを有する例示的なトロカール
図５〜８は、トロカール（１００）の形態の別の例示的な外科用アクセス装置を示す。図示されていないが、当業者であれば、トロカール（１００）は、例えば、上述の閉塞具（１４）などの任意の好適なトロカール閉塞具と組み合わせて使用され得ることを認識するであろう。トロカール（１００）は、一般的に、ハウジングアセンブリ（１０２）と、トロカール（１００）の中心軸に沿ってハウジングアセンブリ（１０２）に連結され、そこから遠位に延びるカニューレ（１０４）と、を含む。ハウジングアセンブリ（１０２）は、近位ハウジング（１０６）、ハウジングキャッププレート（１０８）、ラッチリング（１１０）、及び遠位ハウジング（１１２）を含む。近位ハウジング（１０６）は、近位ハウジングヘッド（１１４）及び近位ハウジングベース（１１６）を有する。近位ハウジング（１０６）は、ハウジングキャッププレート（１０８）及びラッチリング（１１０）を介してトロカール（１００）の残部と連結され、そこから選択的に解放可能である。以下により詳細に記載されるように、トロカール（１００）は、中心軸を横切りトロカール（１００）を通って斜めに延びる複数の縫合糸経路をそれぞれ画定する、複数の針入口ポート（１５０）及び針出口ポート（１５２）を更に含む。本実施例では、針入口ポート（１５０）及び対応する針ガイド構造（１５４）のうちの少なくとも１つは、トロカール（１００）の送気ポート（１３４）に対して同一平面に配置される。
【００１９】
図６に示すように、カニューレ（１０４）は、近位ハブ（１１８）、遠位先端（１２０）、及びトロカール（１００）の中心軸に沿って近位ハブと遠位先端との間に延在する円筒体（１２２）と、を含む。近位ハブ（１１８）が、円筒体（１２２）から近位に半径方向外方にフレア状に広がり、カニューレ管腔（１２４）への近位開口部を画定する一方、遠位先端（１２０）は、カニューレ管腔（１２４）への遠位開口部を画定する。遠位先端（１２０）自体は傾斜しており、外科手術中に遠位先端（１２０）を組織を通って患者の体腔内に挿入するのを容易にするように構成された面取り縁部（１２６）を含む。円筒体（１２２）の外面には、複数の組織係合リブ（１２８）、又はカニューレ（１０４）を体腔内に受容する組織開口部の内壁と摩擦係合するのに好適な他の類似の特徴部を備えてもよい。
【００２０】
図７に示すように、カニューレ管腔（１２４）は、ハウジングアセンブリ（１０２）の内部（１３０）と連通して、中心軸に沿ってトロカール（１００）内を延びる作業チャネル（１３２）を共に画定する。作業チャネル（１３２）への遠位開口部は、カニューレ（１０４）の遠位先端部（１２０）によって画定され、作業チャネル（１３２）への近位開口部は、近位ハウジングヘッド（１１４）によって画定される。近位ハウジング（１０６）がトロカール（１００）の残部から分離されるとき、作業チャネル（１３２）への近位開口部は、ハウジングキャッププレート（１０８）によって画定される。作業チャネル（１３２）は、例えば、患者の体腔にアクセスし、体腔内でアクセス可能な組織を観察及び／又は治療するための様々な内視鏡外科用器具などの１つ以上の外科用器具を受容するように構成されている。
【００２１】
図６及び７に示すように、送気ポート（１３４）（又は「ストップコック」）は、嵌合部（１３６）においてカニューレ（１０４）の近位ハブ（１１８）に動作可能に接続される。送気ポート（１３４）は、内部バルブ（１３７）及びバルブレバー（１３８）を含み、嵌合部（１３６）と一体に形成されてもよい、又は、トロカール（１００）の組み立て中に嵌合具（１３６）に連結されてもよい。送気管（図示せず）は、送気ポート（１３４）の入口に連結され、一酸化炭素などの送気流体を流体源から送気ポート（１３４）に導き、これにより、作業チャネル（１３２）を通じて遠位に流体を患者の体腔内へ導く。バルブレバー（１３８）は、送気ポート（１３４）を通る送気流体の流れを制御するために、開放位置と閉鎖位置との間で内部バルブ（１３７）を回転させるように構成されている。
【００２２】
トロカールアセンブリ（１０）と同様に、トロカール（１００）は、作業チャネル（１３２）内にそれぞれ配置された近位（又は「外側」）シールアセンブリ及び／又は遠位（又は「内側」）シールアセンブリを含んでもよい。本実施例では、トロカール（１００）は、近位ハブ（１１８）のテーパ部内に配置された器具シール（１４０）の形態の遠位封止アセンブリを含む。遠位器具シール（１４０）は、外科用器具を内部を通して受容するように構成された中央開口部（１４２）を含み、体液及び／又は組織がハウジングアセンブリ内部（１３０）内へ近位に前進するのを防ぐように構成されている。例示的な構成では、器具シール（１４０）は、外科用器具が器具シール（１４０）を通って近位に後退する際に、外科用器具の外側表面から体液を吸収する、又は別の方法で除去するように構成されてもよい。
【００２３】
当業者であれば、トロカール（１００）は、参照により組み込まれている米国特許出願第１５／０８８，７２３号に開示されているものなど、様々な好適な構成の近位及び／又は遠位封止アセンブリを含み得ることを認識するであろう。例えば、図示されていないが、トロカール（１００）は、近位ハウジング（１０６）内に配置された器具シールの形態の近位封止アセンブリ、及び／又は、カニューレ（１０４）の近位ハブ（１１８）内に配置されたダックビルシールなどのゼロ閉鎖シールの形態の遠位封止アセンブリを含んでもよい。トロカールアセンブリ（１０）を参照して上述したように、このようなゼロ閉鎖シールは、作業チャネル（１３２）内に液密シールを形成することによって、作業チャネル（１３２）内に外科用器具が存在しない場合であっても送気を維持するように構成されている。更に、遠位ゼロ閉鎖シールは、作業チャネル（１３２）の遠位部分（例えば、カニューレ管腔（１２４））に開口部を提供するように操作されてもよく、この開口部は、特に近位ハウジング（１０６）がトロカール（１００）から分離されて遠位ゼロ閉鎖シールへのアクセスを提供するときに、そこから近位に組織を抽出するのに十分な大きさを有する。
【００２４】
図６に示すように、トロカール（１００）は、カニューレ（１０４）の選択された側部に形成された複数の針ポートを更に含む。以下により詳細に記載されるように、各針ポートは、トロカール（１００）の中心軸に対して斜めの角度で、トロカール（１００）の作業チャネル（１３２）にわたって縫合糸通し針（又は単に「縫合糸通し」）を導くことにより、トロカール（１００）及び隣接組織を通って延びる斜めの縫合糸経路を確立するように構成されている。本明細書において使用される場合、「斜め」という用語は、トロカール（１００）の中心軸などの基準軸に対して平行でも垂直でもないことを意味する。
【００２５】
本実施例では、トロカール（１００）は、一対の針入口ポート（１５０）と、針入口ポート（１５０）の遠位に配置された対応する一対の針出口ポート（１５２）と、を含む。各針入口ポート（１５０）は、カニューレ（１０４）のそれぞれの側部において近位ハブ（１１８）と一体的に形成され、かつ近位ハブ（１１８）から外方に斜めに突出する針ガイド管（１５４）の形態で示される各自の針ガイド構造によって画定される。図７に最もよく示すように、針入口ポート（１５０）は、近位ハブ（１１８）を通って延在し、カニューレ管腔（１２４）に開口する。図５〜７に最もよく示されるように、各針出口ポート（１５２）は、カニューレ（１０４）の円筒体（１２２）を通って延在し、針入口ポート（１５０）及び対応する針ガイド管（１５４）の対応する１つから、ほぼ直径方向に対向する位置でカニューレ管腔（１２４）に開口する。本実施例では、各針出口ポート（１５２）は、トロカール（１００）の中心軸に沿ってほぼ細長いが、代替例では、針出口ポート（１５２）は、様々な他の形状で形成されてもよい。
【００２６】
様々な第１及び第２の構造又は基準点に対して本明細書で使用される場合、「直径方向に対向」という用語は、参照される構造又は基準点がトロカール（１００）の中心軸に沿って同じ長手方向位置に位置する構成を包含するが、これに限定されない。例えば、本実施例では、各針入口ポート（１５０）は、それぞれの針出口ポート（１５２）から近位に離間しているが、ポート（１５０、１５２）は、トロカール（１００）の中心軸を含む同じ軸方向に延びる平面に沿って直径方向に対向すると理解される。当然ながら、トロカール（１００）の代替的な変形例では、針入口及び出口ポート（１５０、１５２）が直径方向に対向しないように、針入口ポート（１５０）は、トロカールの中心軸を含む第１の平面内に位置し、対応する針出口ポート（１５２）は、トロカールの中心軸を含み、第１の平面からオフセットされた第２の平面内に位置してもよい。
【００２７】
図７に最もよく示すように、各針入口ポート（１５０）及び対応する針ガイド管（１５４）は、対向する針出口ポート（１５２）と協働して、トロカール（１００）の中心軸に対して斜めに延びるそれぞれの縫合糸経路に沿って縫合糸通し針（１５６）を導くように構成されている。具体的には、カニューレ（１０４）の第１の側部上の針入口ポート（１５０）及び対応する針ガイド管（１５４）は、カニューレ（１０４）の第２の側部上の針出口ポート（１５２）と協働して、第１の斜めの縫合糸経路を画定する。加えて、カニューレ（１０４）の第２の側部上の針入口ポート（１５２）及び対応する針ガイド管（１５４）は、カニューレ（１０４）の第１の側部上の針出口ポート（１５２）と協働して、第２の斜めの縫合糸経路を画定する。
【００２８】
各針出口ポート（１５２）は、得られる縫合糸経路とトロカール（１００）の中心軸との間で測定された所望の縫合糸経路角度（又は「組織咬合角度」）を達成するのに好適な距離、対応する針入口ポート（１５０）から遠位に離間配置される。本実施例では、各針出口ポート（１５２）は、対応する針入口ポート（１５０）から同じ軸方向距離だけ遠位に離間されており、結果として得られる縫合糸経路は、同じ縫合糸経路角度を呈する。しかしながら、他の実施例では、針出口ポート（１５２）は、対応する針入口ポート（１５０）から様々な軸方向距離だけ遠位に離間されて、異なる縫合糸経路角度を達成することができる。
【００２９】
本実施例の針ガイド構造は、カニューレ（１０４）と一体に形成された針ガイド管（１５４）の形態で示されているが、当業者であれば、トロカール（１００）の斜めの縫合糸経路に沿って、縫合糸通し針（１５６）をガイドするのに好適な様々な他の構成及び構造が実現され得ることを認識するであろう。例えば、トロカール（１００）は、例えば、参照によりその開示が本明細書に組み込まれる、本特許出願と同日出願の、「Ｔｒｏｃａｒ  ｗｉｔｈ  Ｏｂｌｉｑｕｅ  Ｎｅｅｄｌｅ  Ｉｎｓｅｒｔｉｏｎ  Ｐｏｒｔ  ａｎｄ  Ｐｅｒｐｅｎｄｉｃｕｌａｒ  Ｓｅａｌ  Ｌａｔｃｈ」と題された米国特許出願［代理人整理番号ＥＮＤ８１３９ＵＳＮＰ］号に開示されているように、遠位ハウジング（１１２）と一体的に形成される、又は別の方法で画定される針ガイド管が設けられてもよい。他の実施例では、このような外側に突出する針ガイド構造は、トロカール（１００）から省略されてもよい。
【００３０】
図６及び７に示すように、トロカール（１００）の各針ポート（１５０、１５２）には、縫合糸通し針（１５６）が縫合糸経路に沿ってトロカール（１００）を通って導かれるとき、及び／又は縫合糸通し針（１５６）がトロカール（１００）から引き抜かれるときに、送気の維持を補助するように構成された穿孔可能シールが設けられている。本実施例では、各針入口ポート（１５０）には、対応する針ガイド管（１５４）の入口端内に受容されたシールキャップ（１５８）の形態で示される入口シールが設けられている。更に、各針出口ポート（１５２）には、カニューレスリーブ（１６０）の内面から半径方向内方に突出する細長い突出部（１６２）の形態で示される出口シールが設けられている。図５及び６に示すように、カニューレスリーブ（１６０）は、カニューレ（１０４）の円筒体（１２２）の狭窄領域に受容され、組織係合リブ（１２８）の遠位に位置する円筒体（１２２）の遠位部の外径と同様の外径を有する。例示的な構成では、シールキャップ（１５８）と、突出部（１６２）を含むカニューレスリーブ（１６０）とは、エラストマー材料で形成されてもよい。加えて、カニューレスリーブ（１６０）及び／又はシールキャップ（１５８）は、例えばオーバーモールド工程によって形成されてもよい。
【００３１】
図５〜７に示すように、遠位ハウジング（１１２）は、カニューレ（１０４）の近位ハブ（１１８）を受容及び包囲するように成形された略環状シェルの形態である。遠位ハウジング（１１２）は、患者組織にトロカール（１００）を導入する際に外科医によって把持され得る、一対の直径方向に対向する側ウィング（１６４）を含む。遠位ハウジング（１１２）は、送気ポート（１３４）を内部に収容するようなサイズ及び形状の切り欠き（１６６）と、針ガイド管（１５４）を内部に収容するようなサイズ及び形状の一対の軸方向に延びるスロット（１６８）と、を更に含む。本実施例では、遠位ハウジング（１１２）は、スロット（１６８）が側ウィング（１６４）間に延びるそれぞれの側壁部に配置されるように、カニューレ（１０４）及び針ガイド管（１５４）に対して配向される。代替的な構成では、遠位ハウジング（１１２）は、スロット（１６８）が側ウィング（１６４）内に、又は遠位ハウジング（１１２）の様々な他の部分に配置されるように配向されてもよい。
【００３２】
近位ハウジングベース（１１６）と組み合わせて近位ハウジングヘッド（１１４）によって画定される近位ハウジング（１０６）は、ハウジングキャッププレート（１０８）に対するラッチリング（１１０）の操作を介して、トロカール（１００）の残りの遠位部と連結し、選択的に分離されるように構成されている。図６及び７に示すように、近位ハウジングヘッド（１１４）は、近位ハウジング（１０６）がカニューレ（１０４）と連結されているときに、トロカール（１００）の作業チャネル（１３２）の近位端を画定する中央開口部（１７０）を含む。近位ハウジングヘッド（１１４）は、閉塞具をトロカール（１００）に解放可能に接続するために、図２に示す閉塞具（１４）のタブ（３２）などの、閉塞具の近位ヘッドから遠位に延びる一対のタブを受容するように構成された一対のスロット（１７２）を更に含む。近位ハウジングヘッド（１１４）は、近位ハウジングベース（１１６）によって支持され、例えばスナップ嵌め接続で近位側ハウジングベースに連結される。図示されていないが、近位ハウジングヘッド（１１４）と近位ハウジングベース（１１６）との間に、器具シールなどの近位シールアセンブリが配置されてもよい。このような近位シールアセンブリは、トロカール（１００）とトロカール（１００）を通って挿入された外科用器具との間の封止係合を確保するために、上述の遠位シールアセンブリ（１４０）と協働し得る。
【００３３】
近位ハウジングベース（１１６）は、ハウジングキャッププレート（１０８）及びラッチリング（１１０）からの近位ハウジング（１０６）の取り付け及び解放を容易にするように構成された、複数の遠位に延びる嵌合機構を含む。具体的には、図６に示すように、近位ハウジングベース（１１６）の下面は、一対の遠位に延びるラッチタブ（１７４）と、一対の遠位に延びるラッチポスト（１７６）と、を含む。ハウジングキャッププレート（１０８）は、ラッチタブ（１７４）を受容するように構成された一対のタブスロット（１７８）と、ラッチポスト（１７６）を受容するように構成された一対のポスト穴（１８０）と、を含む。ハウジングキャッププレート（１０８）は、例えば、プレス嵌め又はスナップ嵌めによってハウジングキャッププレート（１０８）を遠位ハウジング（１１２）と連結するために、遠位ハウジング（１１２）上の対応する複数の連結穴（１８４）に受容されるように構成された、複数の遠位に延びる連結ポスト（１８２）を更に含む。
【００３４】
ラッチリング（１１０）は、ハウジングキャッププレート（１０８）の遠位に配置され、ラッチリング（１１０）の上側近位端においてハウジングキャッププレート（１０８）の側壁の半径方向内方に、及びラッチリング（１１０）の下側遠位端において遠位ハウジング（１１２）の半径方向内方に収容される。図６に示すように、ラッチリング（１１０）は、外方に突出するノブ（１８６）の形態のユーザ係合機構を含む。ラッチリング（１１０）は、一対のラッチアーム（１８８）の形態の複数の内方に突出するラッチ機構と、ラッチアーム（１８８）間に周方向に離間された一対のカムランプ（１９０）と、を更に含む。
【００３５】
ラッチリング（１１０）は、ラッチリング（１１０）のラッチ機構が近位ハウジングベース（１１６）の遠位に延びる機構を捕捉するラッチ位置と、ラッチリング（１１０）のラッチ機構が近位ハウジングベース（１１６）の遠位に延びる機構を解放することによって、近位ハウジング（１０６）の近位側の分離を可能にするラッチ解除位置との間で、トロカール（１００）の中心軸を中心に回転可能である。より具体的には、ラッチ位置において、ラッチアーム（１８８）はラッチポスト（１７６）と係合し、カムランプ（１９０）はラッチタブ（１７４）と係合する。ラッチ解除位置では、ラッチアーム（１８８）はラッチポスト（１７６）を係合解除し、カムランプ（１９０）はラッチタブ（１７４）を係合解除することよって、近位ハウジング（１０６）をトロカール（１００）の残りの遠位部から解放する。ラッチリング（１１０）は、ハウジングキャッププレート（１０８）の側壁に形成された円周スロット（図示せず）を通って半径方向に突出するノブ（１８６）によって、ラッチ留め位置とラッチ解除位置との間で回転可能である。
【００３６】
近位ハウジング（１０６）と、ハウジングキャッププレート（１０８）と、ラッチリング（１１０）と、を含むハウジングアセンブリ（１０２）の構成要素は、参照により組み込まれる、米国特許出願［代理人整理番号ＥＮＤ８１３９ＵＳＮＰ］号の１つ以上の教示に従って、更に構成され、動作可能であり得る。例えば、各種実施例では、トロカール（１００）は、ラッチリングノブ（１８６）が、ハウジングキャッププレート（１０８）に対するラッチリング（１１０）の許容可能な全回転範囲にわたって、各針ガイド管（１５４）から周方向に離間されて（又は「オフセットされて」）、トロカール（１００）で実行される縫合処置中に、針ガイド管（１５４）への障害のないアクセスを確保する。
【００３７】
図８に最もよく示されるように、本実施例では、第１の針ガイド管（１５４）及びその針入口ポート（１５０）は、送気ポート（１３４）に対して直径方向に対向して配置されている。したがって、第１の針ガイド管（１５４）、その針入口ポート（１５０）、対応する針出口ポート（１５２）、及び送気ポート（１３４）は、トロカール（１００）の中心軸を通る（即ち、含む）、軸方向に延びる第１の平面（Ｐ１）内に配置される。第２の針ガイド管（１５４）及びその針入口及び出口ポート（１５０、１５２）は、トロカール（１００）の中心軸を含む、軸方向に延びる第２の平面（Ｐ２）に配置される。したがって、針ポート（１５０、１５２）及び針ガイド管（１５４）によって画定される第１及び第２の縫合糸経路は、中心軸で交差する。ラッチリング（１１０）のノブ（１８６）は、中心軸を含む軸方向に延びる第３の平面（Ｐ３）に配置される。第３の平面（Ｐ３）は、ラッチリング（１１０）がトロカール（１００）の残部に対して回転するときに、ノブ（１８６）が移動する円周経路の中点に対応し得ることが理解されるであろう。
【００３８】
本実施例では、第１及び第２の針管（１５４）が非直径方向に対向するように位置付けられ、結果として生じる第１及び第２の縫合糸経路が異なる平面に位置するように、第２の平面（Ｐ２）が第１の平面（Ｐ１）からオフセットされている。より具体的には、いくつかの実施例では、第２の平面（Ｐ２）は、第１の平面（Ｐ１）から約１７度オフセットされてもよい。更に、本実施例では、ノブ（１８６）が第１の針ガイド管（１５４）及び送気ポート（１３４）のそれぞれから約９０度周方向にオフセットされるように、第３の平面（Ｐ３）が第１の平面（Ｐ１）に対して垂直に延びる。したがって、本実施例では、針ガイド管（１５４）、送気ポート（１３４）、及びラッチリングノブ（１８６）は、互いに周方向にオフセットされている。また、ノブ（１８６）は、トロカール（１００）の中心軸を中心としたラッチリング（１１０）の許容可能な全回転範囲にわたって、各針ガイド管（１５４）及び送気ポート（１３４）から周方向にオフセットされたままである。このような構成は、トロカール（１００）の使用中に針ガイド管（１５４）へのアクセスが妨げられないように確保する。
【００３９】
他の実施例では、軸方向に延びる平面（Ｐ１、Ｐ２、Ｐ３）は、様々な他の構成でも配置され得ることが理解されるであろう。これに関し、第２の針ガイド管（１５４）及びその針入口ポート（１５０）を含む第２の平面（Ｐ２）は、第１の平面（Ｐ１）から１７度超又は１７度未満オフセットされてもよい。更に、ラッチリングノブ（１８６）を含む第３の平面（Ｐ３）は、第１の平面（Ｐ１）に対して垂直でなくてもよい。例えば、第３の平面（Ｐ３）は、ノブ（１８６）が送気ポート（１３４）又は第１の針ガイド管（１５４）から９０度超又は９０度未満周方向にオフセットされるように配向されてもよい。更に、本実施例のトロカール（１００）は、特定の配置で配向された２つの縫合糸経路を提供し、各縫合糸経路が各自の針入口ポート（１５０）及び針出口ポート（１５２）によって画定されるものとして、図示され及び記載されているが、トロカール（１００）の他の変形例は、他の数及び構成の縫合糸経路を提供するように好適に構成されてもよい。例えば、トロカール（１００）は、３つ以上の縫合糸経路を提供するように構成されてもよい。
【００４０】
Ｂ．第２の構成における針ポート及び送気ポートを有する例示的なトロカール
図９は、トロカール（２００）の形態の別の例示的な外科用アクセス装置を示しており、同様の参照番号は、トロカール（１００）に関連して上述した同様の特徴を指す。以下に別段の説明がない限り、トロカール（２００）は、トロカール（１００）と実質的に同様である。具体的には、トロカール（２００）は、トロカール（２００）の中心軸を含む第１の軸方向に延びる平面（Ｐ１）に沿って直径方向に対向する関係で配置された、一対の針ガイド管（２０２）及び対応する針入口ポート（２０４）を含む。軸方向に延びる第２の平面（Ｐ２）は、中央トロカール軸及びラッチリングノブ（１８６）を通って延在し、軸方向に延びる第３の平面（Ｐ３）は、中央トロカール軸及び送気ポート（１３４）を通って延在する。様々な実施例では、第２の平面（Ｐ２）は、ノブ（１８６）の経路終点又は経路中点を通って延在してもよい。
【００４１】
本実施例では、第２の平面（Ｐ２）は、ラッチリングノブ（１８６）が送気ポート（１３４）から９０度周方向にオフセットされるように、第３の平面（Ｐ３）に対して垂直に延在する。更に、第１の平面（Ｐ１）は、針ガイド管（２０２）及び針入口ポート（２０４）がノブ（１８６）及び送気ポート（１３４）から周方向にオフセットされるように、第２の平面（Ｐ２）及び第３の平面（Ｐ３）から角度的にオフセットされている。本実施例では、第１の平面（Ｐ１）は、第２の平面（Ｐ２）から約１７度角度的にオフセットされている。トロカール（２００）の代替的な変形例は、第２の平面（Ｐ２）に対する第１の平面（Ｐ１）の１７度超の角度オフセットを提示してもよい。
【００４２】
Ｃ．回転カラーに配置された針ポートを有する例示的なトロカール
上述したトロカール（１００、２００）の一方又は両方などの、１つ以上の縫合糸経路を画定する針入口及び出口ポートを有するトロカールを使用して組織開口部を閉鎖する縫合手順中、患者に対してトロカール全体を回転させずに、トロカール中心軸を中心とした１つ以上の縫合糸経路の回転位置を調節することが望ましい場合がある。このような調節は、例えば、患者の特定の解剖学的構造に適合させ、縫合される組織筋膜のより良好な「咬合」を達成することが望ましい場合がある。以下に記載される例示的なトロカール特徴部は、このような調節を可能にする。
【００４３】
図１０は、トロカール（２１０）の中心軸を中心とした縫合糸経路の選択的な回転調節を可能にするように構成された例示的なトロカール（２１０）を示す。トロカール（２１０）は、トロカールの中心軸に沿ってハウジングアセンブリ（２１２）に連結され、ハウジングアセンブリ（２１２）から遠位に延びるカニューレ（２１４）を含むという点で、トロカール（１００）と類似している。ハウジングアセンブリ（２１２）は、近位ハウジングヘッド（２１８）及び近位ハウジングベース（２２０）を有する近位ハウジング（２１６）、ハウジングキャッププレート（２２２）、ラッチリング（１１０）と同様のラッチリング（図示せず）、及び遠位ハウジング（２２４）を含む。トロカール（２１０）の構成要素は、以下に別様に記載されることを除き、上記のトロカール（１００）の対応する構成要素に構造及び機能がほぼ類似している。
【００４４】
トロカール（１００）のハウジングアセンブリ（１０２）とは異なり、トロカール（２１０）のハウジングアセンブリ（２１２）は、ハウジングキャッププレート（２２２）と遠位ハウジング（２２４）との間に配置された回転カラー（２２６）を含む。回転カラー（２２６）は、一対の針ガイド管（２２８）を支持し、各ガイド管（２２８）は、トロカール（２１０）の作業チャネル（２３０）と連通する針入口ポート（２３２）を画定する。回転カラー（２２６）は、カニューレ（２１４）内に形成された一対の針出口ポート（２３４）を含む、トロカール（２１０）の回転固定構成要素に対する、トロカールの中心軸を中心とした、針ガイド管（２２８）と対応する縫合糸経路のうちの一方又は両方の選択的な回転調節を可能にするように構成されている。例えば、本実施例では、針ガイド管（２２８）は、回転カラー（２２６）に対して固定され、回転カラー（２２６）は、トロカールの中心軸を中心に回転するように構成されている。その結果、第１及び第２の針ガイド管（２２８）は、トロカール中心軸を中心に一緒に回転する。他の実施例では、回転カラー（２２６）は、カニューレ（２１４）に対して固定されてもよく、第１及び第２の針ガイド管（２２８）又は他の針ガイド構造は、例えば、回転カラー（２２６）内に形成された１つ以上の周方向に延びる軌道（図示せず）に沿って、互いに独立して又は依存してトロカール中心軸に対して回転するように構成されている。
【００４５】
回転カラー（２２６）は、図１０の参照番号（Ａ、Ｂ）によって示されるように、第１の端部位置と第２の端部位置との間でカニューレ（２１４）に対して回転するように構成されている。第１及び第２の端部位置（Ａ、Ｂ）は、例えば、約３０〜４５度など、任意の好適な角度で互いに周方向にオフセットされる。更に、回転カラー（２２６）は、回転カラー（２２６）が第１の端部位置（Ａ）にあるとき、第１の針ガイド管（２２８）が、約１７度などの選択角度だけ送気ポート（２３６）から周方向にオフセットされるようにトロカール（２１０）に取り付けられる。したがって、回転カラー（２２６）が第１の端部位置と第２の端部位置（Ｂ）との間で４５度の範囲にわたって回転する例示的な構成では、第１の針ガイド管（２２８）は、ガイド管（２２８）が送気ポートから１７度オフセットされる第１の端部位置から、針ガイド管（２２８）が送気ポート（２３６）から５７度オフセットされる第２の端部位置へと移動可能である。各種実施例では、トロカール（２１０）は、カニューレ（２１４）に対して１つ以上の所定の回転位置に回転カラー（２２６）を解放可能に保持するように構成された１つ以上の戻り止め機構又は他の回転制限機構（図示せず）を含んでもよい。
【００４６】
図１０に示すように、針出口ポート（２３４）は、カニューレ（２１４）の近位円筒部に形成される。各出口ポート（２３４）は、対応する針ガイド管（２２８）が、第１の端部位置（Ａ）と第２の端部位置（Ｂ）との間の回転カラー（２２６）の全回転範囲にわたって、対応する針ガイド管（２２８）を針出口ポート（２３４）と整列させるのに十分な周方向寸法でトロカール中心軸に対して延びる。加えて、各針出口ポート（２３４）は、様々な異なる縫合糸経路角度を通って縫合糸経路を収容するのに十分な軸方向寸法で形成される。代替例では、トロカール（２１０）は、回転カラー（２２６）の所定の回転位置に対応する位置でトロカール中心軸を中心に周方向に配置された複数の針出口ポートを含んでもよい。各針出口ポート（２３４）は、トロカール（１００）のシール（１６２）と同様に、外科手術中に送気を維持するのを補助するように構成された穿孔可能シール（２３８）を含む。各針ガイド管（２２８）は、トロカール（１００）のシールキャップ（１５８）と同様のシールキャップ（図示せず）などの穿孔可能シール（図示せず）を更に含んでもよい。
【００４７】
図１１は、回転カラー（２２６）及び遠位ハウジング（２２４）の例示的な機構の更なる詳細を示す。回転カラー（２２６）は、略環状体（２４０）と、針ガイド管（２２８）を支持する外側側壁（２４２）と、を含む。各針ガイド管（２２８）は、環状体（２４０）から半径方向外方に突出する肩部要素（２４４）によって支持され、針ガイド管（２２８）は、環状体（２４０）上の直径方向に対向する位置に配置される。他の実施例では、針ガイド管（２２８）は、トロカール（１００、２００）に関連して上述したような様々な他の構成で配置されてもよい。また、針ガイド管（２２８）及び／又は肩部要素（２４４）は省略されてもよく、回転カラー（２２６）の環状体（２４０）内に一体化された構造などの様々な他の形態の針ガイド構造と置き換えられてもよい。回転カラー（２２６）は、後述するように、回転カラー（２２６）を遠位ハウジング（２２４）と連結し、遠位ハウジング（２２４）に対する回転カラー（２２６）の回転をガイドするように構成された一対の下方に垂下するＬ字形脚部（２４６）を更に含む。本実施例では、脚部（２４６）は、互いに直径方向に対向し、針ガイド管（２２８）間で周方向に等距離に離間配置されている。
【００４８】
本実施例の遠位ハウジング（２２４）は、上壁（２５０）を有する環状体（２４８）を含む。一対の周方向に延びるスロット（２５２）は、上壁（２５０）に配置され、回転カラー（２２６）の下方に垂下する脚部（２４６）を受容するように構成されている。一対の周方向に延びるシール開口部（２５４）も、上壁（２５０）に配置され、縫合糸通し針（図示せず）を受容するように構成されている。スロット（２５２）及びシール開口部（２５４）は、各スロット（２５２）が対応する脚部（２４６）と整列し、各シール開口部（２５４）が対応する針ガイド管（２２８）の遠位端と整列するように構成されるように、周方向に交互に配置される。各スロット（２５２）は、回転カラー（２２６）が遠位ハウジング（２２４）と組み立てられたときに、対応する脚部（２４６）の半径方向に突出する遠位脚部（２５８）を受容するように構成された、半径方向に拡大された開口部（２５６）を有する。各スロット（２５２）は、拡大開口部（２５６）から周方向に延び、回転カラー（２２６）が遠位ハウジング（２２４）に対して回転する際に、周方向経路に沿って脚部（２４６）を保持及びガイドするように構成された細長いチャネル（２６０）を更に含む。スロット（２５２）の周長は、遠位ハウジング（２２４）に対する回転カラー（２２６）の許容可能な回転範囲を画定し、任意の所望の回転範囲を提供するように好適にサイズ決めされてもよい。
【００４９】
周方向に延びるシール開口部（２５４）はそれぞれ、遠位ハウジング（２２４）に対する回転カラー（２２６）の許容可能な全回転範囲にわたって、対応する針ガイド管（２２８）の遠位端とシール開口部（２５４）との整列を可能にするのに十分な周長で形成される。各シール開口部（２５４）には、それぞれの針ガイド管（２２８）を通って遠位に導かれた縫合糸通し針によって穿孔されるように構成された穿孔可能シール（２６２）が設けられている。様々な実施例では、各穿孔可能シール（２６２）は、縫合糸通し針が穿孔可能シール（２６２）を通って延びる間に、穿孔可能シール（２６２）を通る遠位への縫合糸通し針の挿入と、遠位ハウジング（２２４）に対する回転カラー（２２６）の回転とを、容易にするように構成された周方向に延びるスリット（図示せず）を含み得る。各シール開口部（２５４）は、縫合糸通し針を作業チャネル（２３０）内に、カニューレ（２１４）上の対応する針出口ポート（２３４）に向けて導くように構成されている。加えて、シール開口部（２５４）はそれぞれ、様々な異なる縫合糸経路角度の縫合糸経路を収容するのに十分な径方向寸法で形成される。
【００５０】
上述の例示的なトロカール（１００、２００、２１０）はそれぞれ、トロカールカニューレによって患者に形成された開口部を縫合するために、縫合糸ガイド針と縫合糸ガイド針によって担持された縫合糸とを、所定の縫合糸経路角度で遠位に組織内へ導くための縫合糸ガイド機構として実装されるように構成されている。トロカール（１００、２００、２１０）のいずれも、例えば、参照により組み込まれる、米国特許出願［代理人整理番号ＥＮＤ８１３９ＵＳＮＰ］号に開示されている例示的な縫合手順の一般的な工程に関連して実施されてもよい。また、本明細書でトロカール（１００、２００、２１０）に関して提示される教示は、以下のうちのいずれか１つ以上の様々な教示と更に組み合わせることができる。参照によりその開示が本明細書に組み込まれる、本特許出願と同日出願の、「Ｎｅｅｄｌｅ  Ｇｕｉｄｅ  Ｉｎｓｔｒｕｍｅｎｔ  ｗｉｔｈ  Ｔｒａｖｅｒｓｅ  Ｓｕｔｕｒｅ  Ｃａｐｔｕｒｅ  Ｆｅａｔｕｒｅ」と題された米国特許出願［代理人整理番号ＥＮＤ８１３７ＵＳＮＰ］；参照によりその開示が本明細書に組み込まれる、本特許出願と同日出願の、「Ｓｕｔｕｒｅ  Ｇｒａｓｐｉｎｇ  Ｉｎｓｔｒｕｍｅｎｔ」と題された米国特許出願［代理人整理番号ＥＮＤ８１３８ＵＳＮＰ］；参照によりその開示が本明細書に組み込まれる、本特許出願と同日出願の、「Ｓｕｔｕｒｅ  Ｐａｓｓｉｎｇ  Ｉｎｓｔｒｕｍｅｎｔ  ｗｉｔｈ  Ｐｕｎｃｔｕｒｅ  Ｓｉｔｅ  Ｉｄｅｎｔｉｆｉｃａｔｉｏｎ  Ｆｅａｔｕｒｅ」と題された米国特許出願［代理人整理番号ＥＮＤ８１４１ＵＳＮＰ］；参照によりその開示が本明細書に組み込まれる、本特許出願と同日出願の、「Ｔｒｏｃａｒ  Ｏｂｔｕｒａｔｏｒ  ｗｉｔｈ  Ｔｒａｎｓｖｅｒｓｅ  Ｎｅｅｄｌｅ  Ｐｏｒｔｓ」と題された米国特許出願［代理人整理番号ＥＮＤ８１４２ＵＳＮＰ］；参照によりその開示が本明細書に組み込まれる、本特許出願と同日出願の、「Ｓｕｒｇｉｃａｌ  Ｐｏｒｔ  ｗｉｔｈ  Ｗｏｕｎｄ  Ｃｌｏｓｕｒｅ  Ｃｈａｎｎｅｌｓ」と題された米国特許出願［代理人整理番号ＥＮＤ８１４３ＵＳＮＰ］；参照によりその開示が本明細書に組み込まれる、本特許出願と同日出願の、「Ｔｒｏｃａｒ  Ｏｂｔｕｒａｔｏｒ  ｗｉｔｈ  Ｄｅｔａｃｈａｂｌｅ  Ｒｏｔａｒｙ  Ｔｉｓｓｕｅ  Ｆａｓｔｅｎｅｒ」と題された米国特許出願［代理人整理番号ＥＮＤ８１４４ＵＳＮＰ］；参照によりその開示が本明細書に組み込まれる、本特許出願と同日出願の、「Ｍｅｔｈｏｄ  ｏｆ  Ｓｕｔｕｒｉｎｇ  ａ  Ｔｒｏｃａｒ  Ｐａｔｃｈ  Ｉｎｃｉｓｉｏｎ」と題された米国特許出願［代理人整理番号ＥＮＤ８１５３ＵＳＮＰ］；及び／又は、上記参照により組み込まれる他の特許及び特許出願公開。
【００５１】
ＩＩＩ．例示的な組み合わせ
以下の実施例は、本明細書の教示を組み合わせるか又は適用することができる、様々な非網羅的な方法に関する。以下の実施例は、本出願における又は本出願の後の出願におけるどの時点でも提示され得る、いずれの請求項の適用範囲をも限定することを目的としたものではないと理解されよう。免責事項を意図するものではない。以下の実施例は、単なる例示の目的で与えられるものにすぎない。本明細書の様々な教示は、他の多くの方法で配置及び適用が可能であると考えられる。また、いくつかの変形形態では、以下の実施例において言及される特定の特徴を省略してよいことも考えられる。したがって、本発明者又は本発明者の利益の継承者により、後日、そうである旨が明示的に示されない限り、以下に言及される態様又は特徴のいずれも重要なものとして見なされるべきではない。以下に言及される特徴以外の更なる特徴を含む請求項が本出願において、又は本出願に関連する後の出願において示される場合、それらの更なる特徴は、特許性に関連するいかなる理由によっても追加されたものとして仮定されるべきではない。
【実施例１】
【００５２】
外科用アクセス装置であって、
（ａ）近位端と、遠位端と、近位端と遠位端との間を延びるカニューレ管腔と、を有するカニューレと、
（ｂ）カニューレの近位端に連結されたハウジングアセンブリであって、カニューレ管腔と連通するハウジング内部を画定する、ハウジングアセンブリと、（ｃ）外科用アクセス装置の中心軸に沿って外科用アクセス装置の近位端から遠位端まで延びる作業チャネルであって、カニューレ管腔及びハウジング内部によって画定され、内部を通じて外科用器具を受容するように構成されている、作業チャネルと、（ｄ）作業チャネル内に送気流体を導くように構成された送気ポートと、（ｅ）外科用アクセス装置の第１の側部を通って作業チャネルに開口する第１の針ポートであって、送気ポートと直径方向に対向する、第１の針ポートと、
（ｆ）外科用アクセス装置の第２の側部を通って作業チャネルに開口する第２の針ポートと、
を備え、
第１及び第２の針ポートのそれぞれが、中心軸に対して斜めの角度で、作業チャネルにわたって、外科用アクセス装置内で縫合糸通し針を導くように構成されている、外科用アクセス装置。
【実施例２】
【００５３】
第２の針ポートが、送気ポートから周方向にオフセットされている、実施例１に記載の外科用アクセス装置。
【実施例３】
【００５４】
第２の針ポートが、送気ポートから少なくとも１７度、周方向にオフセットされている、実施例２に記載の外科用アクセス装置。
【実施例４】
【００５５】
ハウジングアセンブリが、近位ハウジングと、近位ハウジングをカニューレと解放可能に連結するように構成されたラッチリングと、を含み、ラッチリングが、近位ハウジングをカニューレから解放するように作動可能であるユーザ係合機構を含み、ユーザ係合機構が、ユーザ係合機構の許容可能な動作の全範囲にわたって、送気ポートから周方向にオフセットされている、先行する実施例のうちの任意の１つ以上に記載の外科用アクセス装置。
【実施例５】
【００５６】
ラッチリングは、ユーザ係合機構が送気ポートから少なくとも９０度、周方向にオフセットされる位置に移動可能である、実施例４に記載の外科用アクセス装置。
【実施例６】
【００５７】
ユーザ係合機構が、外側に突出するノブを含む、実施例４〜５の任意の１つ以上に記載の外科用アクセス装置。
【実施例７】
【００５８】
ラッチリングが、近位ハウジングに対して中心軸を中心に回転可能である、実施例４〜６のうちの任意の１つ以上に記載の外科用アクセス装置。
【実施例８】
【００５９】
カニューレが、ハウジングアセンブリと連結するように構成された近位ハブを含み、第１及び第２の針ポートが近位ハブを通って延びる、先行する実施例のうちの任意の１つ以上に記載の外科用アクセス装置。
【実施例９】
【００６０】
第１の針ポートが第１の針入口ポートを備え、第２の針ポートが第２の針入口ポートを備え、外科用アクセス装置が、第１の針入口ポートの遠位に配置された第１の針出口ポートと、第２の針入口ポートの遠位に配置された第２の針出口ポートと、を更に備え、第１の針入口ポート及び第１の針出口ポートが共に、外科用アクセス装置の中心軸を横切って斜めに延びる第１の縫合糸経路を画定し、第２の針入口ポート及び第２の針出口ポートが共に、外科用アクセス装置の中心軸を横切って斜めに延びる第２の縫合糸経路を画定する、先行する実施例のうちの任意の１つ以上に記載の外科用アクセス装置。
【実施例１０】
【００６１】
カニューレが、近位ハブと、近位ハブから遠位に延びる円筒部と、を含み、第１及び第２の針出口ポートが、円筒部を通って作業チャネルに開口している、実施例９に記載の外科用アクセス装置。
【実施例１１】
【００６２】
第１及び第２の針入口ポート及び第１の及び第２の針出口ポートは、第１及び第２の縫合糸経路が外科用アクセス装置の中心軸を通って延びるように配置されている、実施例９〜１０のうちの任意の１つ以上に記載の外科用アクセス装置。
【実施例１２】
【００６３】
第１の針入口ポートを通して第１の縫合糸経路に沿って縫合糸通し針をガイドするように構成された第１の針ガイド構造と、第２の針入口ポートを通して第２の縫合糸経路に沿って縫合糸通し針をガイドするように構成された第２の針ガイド構造と、を更に備える、実施例９〜１１のうちの任意の１つ以上に記載の外科用アクセス装置。
【実施例１３】
【００６４】
第１及び第２の針ガイド構造が、第１及び第２の針ガイド管を備える、実施例１２に記載の外科用アクセス装置。
【実施例１４】
【００６５】
第１の針出口ポートが、第１の針入口ポートと直径方向に対向し、第２の針出口ポートが、第２の針入口ポートと直径方向に対向する、実施例９〜１３のうちの任意の１つ以上に記載の外科用アクセス装置。
【実施例１５】
【００６６】
第１の針入口ポート、第１の針出口ポート、及び送気ポートが、中心軸に沿って外科用アクセス装置を通って軸方向に延びる平面に位置する、実施例９〜１４のうちのいずれかに記載の外科用アクセス装置。
【実施例１６】
【００６７】
外科用アクセス装置であって、
（ａ）近位ハブと、遠位先端と、近位ハブと遠位先端との間を延びるカニューレ管腔と、を有するカニューレと、（ｂ）カニューレの近位ハブに連結されたハウジングアセンブリであって、カニューレ管腔と連通するハウジング内部を画定する、ハウジングアセンブリと、（ｃ）外科用アクセス装置の中心軸に沿って外科用アクセス装置の近位端から遠位端まで延びる作業チャネルであって、カニューレ管腔及びハウジング内部によって画定され、内部を通じて外科用器具を受容するように構成されている、作業チャネルと、（ｄ）作業チャネルに送気流体を導くように構成された送気ポートと、
（ｅ）カニューレの近位ハブを通って作業チャネルに開口する針ポートであって、送気ポートと直径方向に対向し、中心軸に対して斜めの角度で、作業チャネルにわたって、外科用アクセス装置内で縫合糸通し針を導くように構成されている、針ポートと、
を備える、外科用アクセス装置。
【実施例１７】
【００６８】
カニューレの近位ハブを通じて作業チャネルに開口する第２の針ポートを更に備え、第２の針ポートが、送気ポートから周方向にオフセットされている、実施例１６に記載の外科用アクセス装置。
【実施例１８】
【００６９】
外科用アクセス装置であって、
（ａ）近位端と、遠位端と、近位端と遠位端との間を延びるカニューレ管腔と、を有するカニューレと、（ｂ）カニューレの近位端に連結されたハウジングアセンブリであって、カニューレ管腔と連通するハウジング内部を画定する、ハウジングアセンブリと、（ｃ）外科用アクセス装置の中心軸に沿って外科用アクセス装置の近位端から遠位端まで延びる作業チャネルであって、カニューレ管腔及びハウジング内部によって画定され、内部を通じて外科用器具を受容するように構成されている、作業チャネルと、（ｄ）作業チャネル内に送気流体を導くように構成された送気ポートと、（ｅ）外科用アクセス装置の側部を通って作業チャネルに開口する第１の針入口ポートと、（ｆ）外科用アクセス装置の側部を通って作業チャネルに開口する第１の針出口ポートであって、第１の針入口ポートと連通して、中心軸に対して斜めの角度で、作業チャネルにわたって、外科用アクセス装置内で縫合糸通し針を導くように構成されている第１の針チャネルを画定する、第１の針出口ポートと、（ｇ）外科用アクセス装置の側部を通って作業チャネルに開口する第２の針ポートと、
（ｈ）外科用アクセス装置の側部を通って作業チャネルに開口する第２の針出口ポートであって、第２の針入口ポートと連通して、中心軸に対して斜めの角度で、作業チャネルにわたって、外科用アクセス装置内で縫合糸通し針を導くように構成されている第２の針チャネルを画定する、第２の針出口ポートと、
を備え、
第１又は第２の針入口ポートのうちの少なくとも一方、及び対応する針出口ポートは、中心軸に沿って外科用アクセス装置を通って軸方向に延びる軸方向面内に位置し、軸方向面が、送気ポートからオフセットされている、外科用アクセス装置。
【実施例１９】
【００７０】
第１の針入口ポート、第１の針出口ポート、及び送気ポートが、中心軸に沿って外科用アクセス装置を通って軸方向に延びる第１の軸方向面内に位置し、第２の針入口ポート及び第２の針出口ポートが、中心軸に沿って外科用アクセス装置を通って軸方向に延びる第２の軸方向面内に位置し、第２の軸方向面が、第１の軸方向面からオフセットされている、実施例１８に記載の外科用アクセス装置。
【実施例２０】
【００７１】
第１の針入口ポート及び第２の針入口ポートがそれぞれ、送気ポートから周方向にオフセットされている、実施例１８に記載の外科用アクセス装置。
【００７２】
ＩＶ．その他
本明細書に記載の教示、表現要素、実施形態、実施例などのうちのいずれか１つ以上を、本明細書に記載の他の教示、表現要素、実施形態、実施例などのうちのいずれか１つ以上と組み合わせることができる点が理解されるべきである。したがって、上記の教示、表現、実施形態、実施例などは、互いに対して独立して考慮されるべきではない。本明細書の教示に照らして、本明細書の教示を組み合わせることができる様々な好適な方法が、当業者には容易に明らかとなろう。このような改変及び変形形態は、「特許請求の範囲」内に含まれるものとする。
【００７３】
本明細書に参照により組み込まれると言及されるいかなる特許、公報、又は他の開示内容も、全体的に又は部分的に、組み込まれる内容が現行の定義、見解、又は本開示に記載される他の開示内容とあくまで矛盾しない範囲でのみ、本明細書に組み込まれると理解されるべきである。それ自体、また必要な範囲で、本明細書に明瞭に記載される開示内容は、参考により本明細書に組み込まれるあらゆる矛盾する記載に優先するものとする。現行の定義、見解、又は本明細書に記載される他の開示内容と矛盾する任意の内容、又はそれらの部分は本明細書に参照により組み込まれるものとするが、参照内容と現行の開示内容との間に矛盾が生じない範囲においてのみ、参照されるものとする。
【００７４】
上記のデバイスの変形形態は、医療専門家により行われる従来の医療処置及び手術における用途のみではなく、ロボット支援された医療処置及び手術における用途をも有することができる。ほんの一例として、本明細書の様々な教示は、ロボット外科用システム、例えばＩｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムなどに容易に組み込むことができる。同様に、当業者であれば、本明細書における様々な教示を、以下のうちの様々な教示と容易に組み合わせることができることを認識するであろう：その開示が参照により本明細書に組み込まれる、１９９８年８月１１日発行の、「Ａｒｔｉｃｕｌａｔｅｄ  Ｓｕｒｇｉｃａｌ  Ｉｎｓｔｒｕｍｅｎｔ  Ｆｏｒ  Ｐｅｒｆｏｒｍｉｎｇ  Ｍｉｎｉｍａｌｌｙ  Ｉｎｖａｓｉｖｅ  Ｓｕｒｇｅｒｙ  Ｗｉｔｈ  Ｅｎｈａｎｃｅｄ  Ｄｅｘｔｅｒｉｔｙ  ａｎｄ  Ｓｅｎｓｉｔｉｖｉｔｙ」と題された米国特許第５，７９２，１３５号；その開示が参照により本明細書に組み込まれる、１９９８年１０月６日発行の、「Ｒｅｍｏｔｅ  Ｃｅｎｔｅｒ  Ｐｏｓｉｔｉｏｎｉｎｇ  Ｄｅｖｉｃｅ  ｗｉｔｈ  Ｆｌｅｘｉｂｌｅ  Ｄｒｉｖｅ」と題された米国特許第５，８１７，０８４号；その開示が参照により本明細書に組み込まれる、１９９９年３月２日に交付された、米国特許第５，８７８，１９３号、名称「Ａｕｔｏｍａｔｅｄ  Ｅｎｄｏｓｃｏｐｅ  Ｓｙｓｔｅｍ  ｆｏｒ  Ｏｐｔｉｍａｌ  Ｐｏｓｉｔｉｏｎｉｎｇ」、その開示が参照により本明細書に組み込まれる、２００１年５月１５日に交付された、米国特許第６，２３１，５６５号、名称「Ｒｏｂｏｔｉｃ  Ａｒｍ  ＤＬＵＳ  ｆｏｒ  Ｐｅｒｆｏｒｍｉｎｇ  Ｓｕｒｇｉｃａｌ  Ｔａｓｋｓ」、その開示が参照により本明細書に組み込まれる、２００４年８月３１日発行の、「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」と題された米国特許第６，７８３，５２４号；その開示が参照により本明細書に組み込まれる、２００２年４月２日に交付された、米国特許第６，３６４，８８８号、名称「Ａｌｉｇｎｍｅｎｔ  ｏｆ  Ｍａｓｔｅｒ  ａｎｄ  Ｓｌａｖｅ  ｉｎ  ａ  Ｍｉｎｉｍａｌｌｙ  Ｉｎｖａｓｉｖｅ  Ｓｕｒｇｉｃａｌ  Ａｐｐａｒａｔｕｓ」、その開示が参照により本明細書に組み込まれる、２００９年４月２８日に交付された、米国特許第７，５２４，３２０号、名称「Ｍｅｃｈａｎｉｃａｌ  Ａｃｔｕａｔｏｒ  Ｉｎｔｅｒｆａｃｅ  Ｓｙｓｔｅｍ  ｆｏｒ  Ｒｏｂｏｔｉｃ  Ｓｕｒｇｉｃａｌ  Ｔｏｏｌｓ」、その開示が参照により本明細書に組み込まれる、２０１０年４月６日に交付された、米国特許第７，６９１，０９８号、名称「Ｐｌａｔｆｏｒｍ  Ｌｉｎｋ  Ｗｒｉｓｔ  Ｍｅｃｈａｎｉｓｍ」、その開示が参照により本明細書に組み込まれる、２０１０年１０月５日発行の、「Ｒｅｐｏｓｉｔｉｏｎｉｎｇ  ａｎｄ  Ｒｅｏｒｉｅｎｔａｔｉｏｎ  ｏｆ  Ｍａｓｔｅｒ／Ｓｌａｖｅ  Ｒｅｌａｔｉｏｎｓｈｉｐ  ｉｎ  Ｍｉｎｉｍａｌｌｙ  Ｉｎｖａｓｉｖｅ  Ｔｅｌｅｓｕｒｇｅｒｙ」と題された米国特許第７，８０６，８���１号；その開示が参照により本明細書に組み込まれる、２０１４年９月３０日発行の、「Ａｕｔｏｍａｔｅｄ  Ｅｎｄ  Ｅｆｆｅｃｔｏｒ  Ｃｏｍｐｏｎｅｎｔ  Ｒｅｌｏａｄｉｎｇ  Ｓｙｓｔｅｍ  ｆｏｒ  Ｕｓｅ  ｗｉｔｈ  ａ  Ｒｏｂｏｔｉｃ  Ｓｙｓｔｅｍ」と題された米国特許第８，８４４，７８９号；その開示内容が参照により本明細書に組み込まれる、２０１４年９月２日発行の「Ｒｏｂｏｔｉｃａｌｌｙ−Ｃｏｎｔｒｏｌｌｅｄ  Ｓｕｒｇｉｃａｌ  Ｉｎｓｔｒｕｍｅｎｔｓ」と題された米国特許第８，８２０，６０５号；その開示が参照により本明細書に組み込まれる、２０１３年１２月３１日発行の、「Ｓｈｉｆｔａｂｌｅ  Ｄｒｉｖｅ  Ｉｎｔｅｒｆａｃｅ  ｆｏｒ  Ｒｏｂｏｔｉｃａｌｌｙ−Ｃｏｎｔｒｏｌｌｅｄ  Ｓｕｒｇｉｃａｌ  Ｔｏｏｌ」と題された米国特許第８，６１６，４３１号；その開示が参照により本明細書に組み込まれる、２０１３年１１月５日発行の、「Ｓｕｒｇｉｃａｌ  Ｓｔａｐｌｉｎｇ  Ｉｎｓｔｒｕｍｅｎｔｓ  ｗｉｔｈ  Ｃａｍ−Ｄｒｉｖｅｎ  Ｓｔａｐｌｅ  Ｄｅｐｌｏｙｍｅｎｔ  Ａｒｒａｎｇｅｍｅｎｔｓ」と題された米国特許第８，５７３，４６１号；その開示が参照により本明細書に組み込まれる、２０１３年１２月１０日発行の、「Ｒｏｂｏｔｉｃａｌｌｙ−Ｃｏｎｔｒｏｌｌｅｄ  Ｍｏｔｏｒｉｚｅｄ  Ｓｕｒｇｉｃａｌ  Ｅｎｄ  Ｅｆｆｅｃｔｏｒ  Ｓｙｓｔｅｍ  ｗｉｔｈ  Ｒｏｔａｒｙ  Ａｃｔｕａｔｅｄ  Ｃｌｏｓｕｒｅ  Ｓｙｓｔｅｍｓ  Ｈａｖｉｎｇ  Ｖａｒｉａｂｌｅ  Ａｃｔｕａｔｉｏｎ  Ｓｐｅｅｄｓ」と題された米国特許第８，６０２，２８８号；その開示が参照により本明細書に組み込まれる、２０１６年４月５日発行の、「Ｒｏｂｏｔｉｃａｌｌｙ−Ｃｏｎｔｒｏｌｌｅｄ  Ｓｕｒｇｉｃａｌ  Ｉｎｓｔｒｕｍｅｎｔ  ｗｉｔｈ  Ｓｅｌｅｃｔｉｖｅｌｙ  Ａｒｔｉｃｕｌａｔａｂｌｅ  Ｅｎｄ  Ｅｆｆｅｃｔｏｒ」と題された米国特許第９，３０１，７５９号；その開示が参照により本明細書に組み込まれる、２０１４年７月２２日発行の、「Ｒｏｂｏｔｉｃａｌｌｙ−Ｃｏｎｔｒｏｌｌｅｄ  Ｓｕｒｇｉｃａｌ  Ｅｎｄ  Ｅｆｆｅｃｔｏｒ  Ｓｙｓｔｅｍ」と題された米国特許第８，７８３，５４１号；２０１３年７月９日発行の、「Ｄｒｉｖｅ  Ｉｎｔｅｒｆａｃｅ  ｆｏｒ  Ｏｐｅｒａｂｌｙ  Ｃｏｕｐｌｉｎｇ  ａ  Ｍａｎｉｐｕｌａｔａｂｌｅ  Ｓｕｒｇｉｃａｌ  Ｔｏｏｌ  ｔｏ  ａ  Ｒｏｂｏｔ」と題された米国特許第８，４７９，９６９号；その開示が参照により本明細書に組み込まれる、２０１４年８月１２日に交付された「Ｒｏｂｏｔｉｃａｌｌｙ  Ｃｏｎｔｒｏｌｌｅｄ  Ｃａｂｌｅ−Ｂａｓｅｄ  Ｓｕｒｇｉｃａｌ  Ｅｎｄ  Ｅｆｆｅｃｔｏｒｓ」と題する米国特許公報第８，８００，８３８号；及び／又は、その開示が参照により本明細書に組み込まれる、２０１３年１１月５日に交付された「Ｒｏｂｏｔｉｃａｌｌｙ−Ｃｏｎｔｒｏｌｌｅｄ  Ｓｕｒｇｉｃａｌ  Ｅｎｄ  Ｅｆｆｅｃｔｏｒ  Ｓｙｓｔｅｍ  ｗｉｔｈ  Ｒｏｔａｒｙ  Ａｃｔｕａｔｅｄ  Ｃｌｏｓｕｒｅ  Ｓｙｓｔｅｍｓ」と題する米国特許第８，５７３，４６５号。
【００７５】
上述のデバイスの変形形態は、１回の使用後に処分するように設計することができ、又はそれらは、複数回使用するように設計することができる。変形形態は、いずれか又は両方の場合においても、少なくとも１回の使用後に再利用のために再調整され得る。再調整は、デバイスの分解工程、それに続く特定の部品の洗浄又は交換工程、及びその後の再組み立て工程の、任意の組み合わせを含み得る。特に、デバイスのいくつかの変形形態は分解することができ、また、デバイスの任意の数の特定の部分若しくは部品を、任意の組み合わせで選択的に交換又は取り外してもよい。特定の部品の洗浄及び／又は交換後、デバイスのいくつかの変形形態を、再調整用の施設において、又は処置の直前に使用者によってのいずれかで、その後の使用のために再組み立てすることができる。当業者であれば、デバイスの再調整において、分解、洗浄／交換、及び再組み立てのための様々な技術を利用することができることを理解するであろう。こうした技術の使用、及び結果として得られる再調整されたデバイスは、全て本出願の範囲内にある。
【００７６】
ほんの一例として、本明細書に記載される変形形態は、処置の前及び／又は後に滅菌されてもよい。１つの滅菌技術では、デバイスをプラスチック製又はＴＹＶＥＫ製のバックなど、閉鎖及び封止された容器に入れる。次いで、容器及びデバイスを、γ線、Ｘ線、又は高エネルギー電子線などの、容器を透過し得る放射線場に置いてもよい。放射線は、デバイス上及び容器内の細菌を死滅させ得る。次に、滅菌されたデバイスを、後の使用のために、滅菌容器内に保管してもよい。デバイスはまた、β線若しくはγ線、エチレンオキシド、又は水蒸気が挙げられるがこれらに限定されない、当該技術分野で既知の任意の他の技術を用いて滅菌されてもよい。
【００７７】
以上、本発明の様々な実施形態を示し、記載したが、当業者による適切な改変により、本発明の範囲から逸脱することなく、本明細書に記載の方法及びシステムの更なる適合化を実現することができる。そのような可能な改変のうちのいくつかについて述べたが、他の改変も当業者には明らかとなるであろう。例えば、上記の実施例、実施形態、幾何学形状、材料、寸法、比率、工程などは例示的なものであって、必須のものではない。したがって、本発明の範囲は、以下の特許請求の範囲の観点から考慮されるべきものであり、本明細書及び図面において図示され、説明された構造及び動作の細部に限定されないものとして、理解されたい。
【００７８】
〔実施の態様〕
（１）  外科用アクセス装置であって、
（ａ）近位端と、遠位端と、前記近位端と前記遠位端との間を延びるカニューレ管腔と、を有するカニューレと、
（ｂ）前記カニューレの前記近位端に連結されたハウジングアセンブリであって、前記カニューレ管腔と連通するハウジング内部を画定する、ハウジングアセンブリと、
（ｃ）前記外科用アクセス装置の中心軸に沿って前記外科用アクセス装置の近位端から遠位端まで延びる作業チャネルであって、前記カニューレ管腔及び前記ハウジング内部によって画定され、内部を通じて外科用器具を受容するように構成されている、作業チャネルと、
（ｄ）前記作業チャネル内に送気流体を導くように構成された送気ポートと、
（ｅ）前記外科用アクセス装置の第１の側部を通って前記作業チャネルに開口する第１の針ポートであって、前記送気ポートと直径方向に対向する、第１の針ポートと、
（ｆ）前記外科用アクセス装置の第２の側部を通って前記作業チャネルに開口する第２の針ポートと、
を備え、
前記第１及び第２の針ポートのそれぞれが、前記中心軸に対して斜めの角度で、前記作業チャネルにわたって、前記外科用アクセス装置内で縫合糸通し針を導くように構成されている、外科用アクセス装置。
（２）  前記第２の針ポートが、前記送気ポートから周方向にオフセットされている、実施態様１に記載の外科用アクセス装置。
（３）  前記第２の針ポートが、前記送気ポートから少なくとも１７度、周方向にオフセットされている、実施態様２に記載の外科用アクセス装置。
（４）  前記ハウジングアセンブリが、近位ハウジングと、前記近位ハウジングを前記カニューレと解放可能に連結するように構成されたラッチリングと、を含み、前記ラッチリングが、前記近位ハウジングを前記カニューレから解放するように作動可能であるユーザ係合機構を含み、前記ユーザ係合機構が、前記ユーザ係合機構の許容可能な動作の全範囲にわたって、前記送気ポートから周方向にオフセットされている、実施態様１に記載の外科用アクセス装置。
（５）  前記ラッチリングは、前記ユーザ係合機構が前記送気ポートから少なくとも９０度、周方向にオフセットされる位置まで移動可能である、実施態様４に記載の外科用アクセス装置。
【００７９】
（６）  前記ユーザ係合機構が、外側に突出するノブを含む、実施態様４に記載の外科用アクセス装置。
（７）  前記ラッチリングが、前記近位ハウジングに対して前記中心軸を中心に回転可能である、実施態様４に記載の外科用アクセス装置。
（８）  前記カニューレが、前記ハウジングアセンブリと連結するように構成された近位ハブを含み、前記第１及び第２の針ポートが前記近位ハブを通って延びる、実施態様１に記載の外科用アクセス装置。
（９）  前記第１の針ポートが第１の針入口ポートを備え、前記第２の針ポートが第２の針入口ポートを備え、前記外科用アクセス装置が、前記第１の針入口ポートの遠位に配置された第１の針出口ポートと、前記第２の針入口ポートの遠位に配置された第２の針出口ポートと、を更に備え、前記第１の針入口ポート及び前記第１の針出口ポートが共に、前記外科用アクセス装置の前記中心軸を横切って斜めに延びる第１の縫合糸経路を画定し、前記第２の針入口ポート及び前記第２の針出口ポートが共に、前記外科用アクセス装置の前記中心軸を横切って斜めに延びる第２の縫合糸経路を画定する、実施態様１に記載の外科用アクセス装置。
（１０）  前記カニューレが、近位ハブと、前記近位ハブから遠位に延びる円筒部と、を含み、前記第１及び第２の針出口ポートが、前記円筒部を通って前記作業チャネルに開口している、実施態様９に記載の外科用アクセス装置。
【００８０】
（１１）  前記第１及び第２の針入口ポート、及び、前記第１及び第２の針出口ポートは、前記第１及び第２の縫合糸経路が前記外科用アクセス装置の前記中心軸を通って延びるように配置されている、実施態様９に記載の外科用アクセス装置。
（１２）  前記第１の針入口ポートを通して前記第１の縫合糸経路に沿って縫合糸通し針をガイドするように構成された第１の針ガイド構造と、前記第２の針入口ポートを通して前記第２の縫合糸経路に沿って縫合糸通し針をガイドするように構成された第２の針ガイド構造と、を更に備える、実施態様９に記載の外科用アクセス装置。
（１３）  前記第１及び第２の針ガイド構造が、第１及び第２の針ガイド管を備える、実施態様１２に記載の外科用アクセス装置。
（１４）  前記第１の針出口ポートが、前記第１の針入口ポートと直径方向に対向し、前記第２の針出口ポートが、前記第２の針入口ポートと直径方向に対向する、実施態様９に記載の外科用アクセス装置。
（１５）  前記第１の針入口ポート、前記第１の針出口ポート、及び前記送気ポートが、前記中心軸に沿って前記外科用アクセス装置を通って軸方向に延びる平面に位置する、実施態様９に記載の外科用アクセス装置。
【００８１】
（１６）  外科用アクセス装置であって、
（ａ）近位ハブと、遠位先端と、前記近位ハブと前記遠位先端との間を延びるカニューレ管腔と、を有するカニューレと、
（ｂ）前記カニューレの前記近位ハブに連結されたハウジングアセンブリであって、前記カニューレ管腔と連通するハウジング内部を画定する、ハウジングアセンブリと、
（ｃ）前記外科用アクセス装置の中心軸に沿って前記外科用アクセス装置の近位端から遠位端まで延びる作業チャネルであって、前記カニューレ管腔及び前記ハウジング内部によって画定され、内部を通じて外科用器具を受容するように構成されている、作業チャネルと、
（ｄ）前記作業チャネル内に送気流体を導くように構成された送気ポートと、
（ｅ）前記カニューレの前記近位ハブを通って前記作業チャネルに開口する針ポートであって、前記送気ポートと直径方向に対向し、前記中心軸に対して斜めの角度で、前記作業チャネルにわたって、前記外科用アクセス装置内で縫合糸通し針を導くように構成されている、針ポートと、
を備える、外科用アクセス装置。
（１７）  前記カニューレの前記近位ハブを通って前記作業チャネルに開口する第２の針ポートを更に備え、前記第２の針ポートが、前記送気ポートから周方向にオフセットされている、実施態様１６に記載の外科用アクセス装置。
（１８）  外科用アクセス装置であって、
（ａ）近位端と、遠位端と、前記近位端と前記遠位端との間を延びるカニューレ管腔と、を有するカニューレと、
（ｂ）前記カニューレの前記近位端に連結されたハウジングアセンブリであって、前記カニューレ管腔と連通するハウジング内部を画定する、ハウジングアセンブリと、
（ｃ）前記外科用アクセス装置の中心軸に沿って前記外科用アクセス装置の近位端から遠位端まで延びる作業チャネルであって、前記カニューレ管腔及び前記ハウジング内部によって画定され、内部を通じて外科用器具を受容するように構成されている、作業チャネルと、
（ｄ）前記作業チャネル内に送気流体を導くように構成された送気ポートと、
（ｅ）前記外科用アクセス装置の側部を通って前記作業チャネルに開口する第１の針入口ポートと、
（ｆ）前記外科用アクセス装置の側部を通って前記作業チャネルに開口する第１の針出口ポートであって、前記第１の針入口ポートと連通して、前記中心軸に対して斜めの角度で、前記作業チャネルにわたって、前記外科用アクセス装置内で縫合糸通し針を導くように構成されている第１の針チャネルを画定する、第１の針出口ポートと、
（ｇ）前記外科用アクセス装置の側部を通って前記作業チャネルに開口する第２の針ポートと、
（ｈ）前記外科用アクセス装置の側部を通って前記作業チャネルに開口する第２の針出口ポートであって、前記第２の針入口ポートと連通して、前記中心軸に対して斜めの角度で、前記作業チャネルにわたって、前記外科用アクセス装置内で縫合糸通し針を導くように構成されている第２の針チャネルを画定する、第２の針出口ポートと、
を備え、
前記第１又は第２の針入口ポートのうちの少なくとも一方、及び対応する前記針出口ポートは、前記中心軸に沿って前記外科用アクセス装置を通って軸方向に延びる軸方向面内に位置し、前記軸方向面が、前記送気ポートからオフセットされている、外科用アクセス装置。
（１９）  前記第１の針入口ポート、前記第１の針出口ポート、及び前記送気ポートが、前記中心軸に沿って前記外科用アクセス装置を通って軸方向に延びる第１の軸方向面内に位置し、前記第２の針入口ポート及び前記第２の針出口ポートが、前記中心軸に沿って前記外科用アクセス装置を通って軸方向に延びる第２の軸方向面内に位置し、前記第２の軸方向面が、前記第１の軸方向面からオフセットされている、実施態様１８に記載の外科用アクセス装置。
（２０）  前記第１の針入口ポート及び前記第２の針入口ポートのそれぞれが、前記送気ポートから周方向にオフセットされている、実施態様１８に記載の外科用アクセス装置。
【図１】
2020525137.tif 000003
【図２】
2020525137.tif 000004
【図３Ａ】
2020525137.tif 000005
【図３Ｂ】
2020525137.tif 000006
【図３Ｃ】
2020525137.tif 000007
【図３Ｄ】
2020525137.tif 000008
【図４Ａ】
2020525137.tif 000009
【図４Ｂ】
2020525137.tif 000010
【図４Ｃ】
2020525137.tif 000011
【図４Ｄ】
2020525137.tif 000012
【図５】
2020525137.tif 000013
【図６】
2020525137.tif 000014
【図７】
2020525137.tif 000015
【図８】
2020525137.tif 000016
【図９】
2020525137.tif 000017
【図１０】
2020525137.tif 000018
【図１１】
2020525137.tif 000019
【国際調査報告】
2020525137.tif 000020
2020525137.tif 000021
2020525137.tif 000022